(57)【要約】  携帯装置（１０１）は、農作業に従事する者の撮影意図を表す項目群のいずれかの項目を選択する操作入力を検出する。携帯装置（１０１）は、項目群（Ｃ１〜Ｃ３）のいずれかの項目を選択する操作入力を検出した場合、ディスプレイ（１１０）に表示されている被写体を撮影する。携帯装置（１０１）は、撮影した撮影画像（１１１）と、操作入力を検出した項目（Ｃ２）とを関連付けて出力する。この結果、作業者（Ｗ）によって撮影された撮影画像（１１１）と作業者（Ｗ）の撮影意図とを関連付けることができる。
2012124066.tif 000002
【特許請求の範囲】
【請求項１】
被写体を撮影する撮影部と、
農作業に従事する者の撮影意図を表す項目群のいずれかの項目を選択する操作入力を検出する検出部と、
前記検出部によって前記操作入力が検出された場合、前記撮影部に対して撮影指示を出力する指示部と、
前記指示部によって前記撮影指示が出力された結果、前記撮影部によって撮影された撮影画像と、前記検出部によって検出された前記項目とを関連付ける関連付け部と、
前記関連付け部によって関連付けられた関連付け結果を出力する出力部と、
を備えることを特徴とする携帯装置。
【請求項２】
自装置の位置情報を取得する取得部と、
前記撮影意図を表す項目群の各々の項目の項目内容を表示する表示部と、
前記取得部によって取得された前記自装置の位置情報から特定される前記自装置の近傍に存在する圃場を特徴付ける情報を、前記項目の項目内容に設定する設定部と、をさらに備えることを特徴とする請求項１に記載の携帯装置。
【請求項３】
前記設定部は、
前記自装置の近傍に存在する圃場で栽培されている作物を特徴付ける情報を、前記項目の項目内容に設定することを特徴とする請求項２に記載の携帯装置。
【請求項４】
前記設定部は、
前記自装置の近傍に存在する圃場で行われる農作業の作業内容を特徴付ける情報を、前記項目の項目内容に設定することを特徴とする請求項２乃至３のいずれか一つに記載の携帯装置。
【請求項５】
各地に点在する圃場群の各々の圃場の位置情報を有する情報提供装置に、前記取得部によって取得された前記自装置の位置情報を送信する送信部と、
前記送信部によって前記自装置の位置情報が送信された結果、前記自装置の近傍に存在する圃場を特徴付ける情報を前記情報提供装置から受信する受信部と、をさらに備え、
前記設定部は、
前記受信部によって受信された前記圃場を特徴付ける情報を、前記項目の項目内容に設定することを特徴とする請求項２乃至４のいずれか一つに記載の携帯装置。
【請求項６】
前記受信部は、
前記自装置の位置情報が送信された結果、前記自装置の近傍に存在する圃場で栽培されている作物を特徴付ける情報を前記情報提供装置から受信し、
前記設定部は、
前記受信部によって受信された前記圃場で栽培されている作物を特徴付ける情報を、前記項目の項目内容に設定することを特徴とする請求項５に記載の携帯装置。
【請求項７】
前記受信部は、
前記自装置の位置情報が送信された結果、前記自装置の近傍に存在する圃場で行われる農作業の作業内容を特徴付ける情報を前記情報提供装置から受信し、
前記設定部は、
前記受信部によって受信された前記圃場で行われる農作業の作業内容を特徴付ける情報を、前記項目の項目内容に設定することを特徴とする請求項５乃至６のいずれか一つに記載の携帯装置。
【請求項８】
前記受信部は、
前記自装置の位置情報が送信された結果、前記自装置の近傍に存在する圃場で栽培されている作物に有害な作用を及ぼす前記作物に特有の害虫を特徴付ける情報を前記情報提供装置から受信し、
前記設定部は、
前記受信部によって受信された前記作物に有害な作用を及ぼす前記作物に特有の害虫を特徴付ける情報を、前記項目の項目内容に設定することを特徴とする請求項５乃至７のいずれか一つに記載の携帯装置。
【請求項９】
前記受信部は、
前記自装置の位置情報が送信された結果、前記自装置の近傍に存在する圃場で栽培されている作物に有害な作用を及ぼす前記作物に特有の病気を特徴付ける情報を前記情報提供装置から受信し、
前記設定部は、
前記受信部によって受信された前記作物に有害な作用を及ぼす前記作物に特有の病気を特徴付ける情報を、前記項目の項目内容に設定することを特徴とする請求項５乃至８のいずれか一つに記載の携帯装置。
【請求項１０】
前記送信部は、
前記自装置を使用する作業者の識別情報を前記情報提供装置に送信し、
前記受信部は、
前記作業者の識別情報が送信された結果、前記作業者が行う農作業の作業内容を特徴付ける情報を前記情報提供装置から受信し、
前記設定部は、
前記受信部によって受信された前記作業者が行う農作業の作業内容を特徴付ける情報を、前記項目の項目内容に設定することを特徴とする請求項５乃至９のいずれか一つに記載の携帯装置。
【請求項１１】
前記表示部を制御して、前記撮影意図を表す項目をノードとして階層構造化された木構造のいずれかの階層に属する各々のノードが表す項目の項目内容を表示する表示制御部をさらに備え、
前記検出部は、
前記表示部によって表示された前記階層に属する各々のノードが表す項目のいずれかの項目を選択する操作入力を検出し、
前記表示制御部は、
前記検出部によって前記操作入力が検出された場合、前記表示部を制御して、前記いずれかの項目を表すノードの子ノードが表す項目の項目内容を表示し、
前記指示部は、
前記検出部によって前記木構造の葉ノードが表す項目を選択する操作入力が検出された場合、前記撮影部に対して撮影指示を出力することを特徴とする請求項１乃至１０のいずれか一つに記載の携帯装置。
【請求項１２】
農作業に従事する者の撮影意図を表す項目群のいずれかの項目を選択する操作入力を検出する検出工程と、
前記検出工程によって前記操作入力が検出された場合、被写体を撮影する撮影部に対して撮影指示を出力する指示工程と、
前記指示工程によって前記撮影指示が出力された結果、前記撮影部によって撮影された撮影画像と、前記検出工程によって検出された前記項目とを関連付ける関連付け工程と、
前記関連付け工程によって関連付けられた関連付け結果を出力する出力工程と、
をコンピュータに実行させることを特徴とする作業支援プログラム。
【請求項１３】
携帯装置から前記携帯装置の位置情報を受信する受信工程と、
各地に点在する圃場群の各々の圃場の位置情報と、前記受信工程によって受信された前記携帯装置の位置情報とに基づいて、前記圃場群の中から圃場を検索する検索工程と、
前記検索工程によって検索された前記圃場を特徴付ける情報を、前記圃場を撮影する農作業に従事する者の撮影意図を表す情報として、前記携帯装置に送信する送信工程と、
をコンピュータが実行することを特徴とする情報提供方法。
【請求項１４】
前記コンピュータが、
前記各々の圃場で栽培されている作物を特徴付ける情報を記憶するデータベースの中から、前記検索工程によって検索された前記圃場で栽培されている作物を特徴付ける情報を抽出する抽出工程をさらに実行し、
前記送信工程は、
前記撮影意図を表す情報として、前記抽出工程によって抽出された前記圃場で栽培されている作物を特徴付ける情報を前記携帯装置に送信することを特徴とする請求項１３に記載の情報提供方法。
【請求項１５】
前記データベースは、前記各々の圃場で行われる農作業の作業内容を特徴付ける情報を記憶しており、
前記抽出工程は、
前記データベースの中から、前記検索工程によって検索された前記圃場で行われる農作業の作業内容を特徴付ける情報を抽出し、
前記送信工程は、
前記撮影意図を表す情報として、前記圃場で行われる農作業の作業内容を特徴付ける情報を前記携帯装置に送信することを特徴とする請求項１４に記載の情報提供方法。
【請求項１６】
前記データベースは、作物と前記作物に有害な作用を及ぼす前記作物に特有の害虫を特徴付ける情報とを関連付けて記憶しており、
前記抽出工程は、
前記データベースの中から、前記抽出工程によって抽出された前記圃場で栽培されている作物に有害な作用を及ぼす前記作物に特有の害虫を特徴付ける情報を抽出し、
前記送信工程は、
前記撮影意図を表す情報として、前記作物に有害な作用を及ぼす前記作物に特有の害虫を特徴付ける情報を前記携帯装置に送信することを特徴とする請求項１４乃至１５のいずれか一つに記載の情報提供方法。
【請求項１７】
前記データベースは、作物と前記作物に有害な作用を及ぼす前記作物に特有の病気を特徴付ける情報とを関連付けて記憶しており、
前記抽出工程は、
前記データベースの中から、前記抽出工程によって抽出された前記圃場で栽培されている作物に有害な作用を及ぼす前記作物に特有の病気を特徴付ける情報を抽出し、
前記送信工程は、
前記撮影意図を表す情報として、前記作物に有害な作用を及ぼす前記作物に特有の病気を特徴付ける情報を前記携帯装置に送信することを特徴とする請求項１４乃至１６のいずれか一つに記載の情報提供方法。
【請求項１８】
前記データベースは、作業者の識別情報と前記作業者が行う農作業の作業内容を特徴付ける情報とを関連付けて記憶しており、
前記受信工程は、
前記携帯装置を使用する作業者の識別情報を前記携帯装置から受信し、
前記抽出工程は、
前記データベースの中から、前記受信工程によって受信された前記携帯装置を使用する作業者の識別情報と関連付けて記憶されている前記携帯装置を使用する作業者が行う農作業の作業内容を特徴付ける情報を抽出し、
前記送信工程は、
前記撮影意図を表す情報として、前記携帯装置を使用する作業者が行う農作業の作業内容を特徴付ける情報を前記携帯装置に送信することを特徴とする請求項１４乃至１７のいずれか一つに記載の情報提供方法。
【請求項１９】
携帯装置から前記携帯装置の位置情報を受信する受信工程と、
各地に点在する圃場群の各々の圃場の位置情報と、前記受信工程によって受信された前記携帯装置の位置情報とに基づいて、前記圃場群の中から圃場を検索する検索工程と、
前記検索工程によって検索された前記圃場を特徴付ける情報を、前記圃場を撮影する農作業に従事する者の撮影意図を表す情報として、前記携帯装置に送信する送信工程と、
をコンピュータに実行させることを特徴とする情報提供プログラム。
【発明の詳細な説明】
【技術分野】
【０００１】
本発明は、作業を支援する携帯装置、作業支援プログラム、情報提供方法および情報提供プログラムに関する。
【背景技術】
【０００２】
従来から、農作業に従事する者の間で情報を共有することが行われている。例えば、現場で撮影された圃場の画像を共有することにより、圃場の状況、作物の生育状況、病害虫の発生状況などを複数のユーザが確認することができる。【０００３】
関連する先行技術としては、シャッターボタンが押下されたことに応答して、現在の位置を取得し、画像データと現在の位置を記録メディアに記録するものがある。また、農作業日誌データベースを参照して、作業者が所持する端末の位置情報から作業者および圃場を特定し、作業者が実施すべき作業項目を絞り込む技術がある。また、画像情報を表示する画面に入力されたメモ書き情報と該画像情報とを対応付けて記憶媒体に記録する技術がある。
【先行技術文献】
【特許文献】
【０００４】
【特許文献１】特開２０１０−１０８９０号公報
【特許文献２】特開２００５−１２４５３８号公報
【特許文献３】特開平４−１５６７９１号公報
【発明の概要】
【発明が解決しようとする課題】
【０００５】
しかしながら、従来技術では、撮影された画像を見た人が、何の目的で撮影されたものなのかを判断しにくい場合があるという問題があった。例えば、害虫の発生を報告するために作物に付着した害虫を撮影した画像であっても、画像を見た人が、単に作物の生育状況を記録したものだと勘違いしてしまう場合があり、害虫被害の拡大を招くという問題がある。【０００６】
また、農作業において、作業者は、例えば、手指を保護するために軍手を着用して作業を行うことが多いため、現場で撮影した画像に対してメモ入力するなどのコンピュータへの操作を行うことが難しいという問題があった。【０００７】
本発明は、上述した従来技術による問題点を解消するため、撮影画像と撮影意図との関連付けを行うことができる携帯装置、作業支援プログラム、情報提供方法および情報提供プログラムを提供することを目的とする。
【課題を解決するための手段】
【０００８】
上述した課題を解決し、目的を達成するため、本発明の一側面によれば、農作業に従事する者の撮影意図を表す項目群のいずれかの項目を選択する操作入力を検出し、前記操作入力を検出した場合、被写体を撮影する撮影部に対して撮影指示を出力し、前記撮影指示を出力した結果、前記撮影部によって撮影された撮影画像と、検出した前記項目とを関連付け、関連付けた関連付け結果を出力する携帯装置および作業支援プログラムが提案される。【０００９】
また、上述した課題を解決し、目的を達成するため、本発明の一側面によれば、携帯装置から前記携帯装置の位置情報を受信し、各地に点在する圃場群の各々の圃場の位置情報と、受信した前記携帯装置の位置情報とに基づいて、前記圃場群の中から圃場を検索し、検索した前記圃場を特徴付ける情報を、前記圃場を撮影する農作業に従事する者の撮影意図を表す情報として、前記携帯装置に送信する情報提供方法および情報提供プログラムが提案される。
【発明の効果】
【００１０】
本発明の一側面によれば、撮影画像と撮影意図との関連付けを行うことができるという効果を奏する。
【図面の簡単な説明】
【００１１】
【図１】図１は、実施の形態１にかかる携帯装置の作業支援処理の一実施例を示す説明図である。
【図２】図２は、実施の形態２にかかる作業支援システムのシステム構成例を示す説明図である。
【図３】図３は、実施の形態２にかかる携帯装置のハードウェア構成例を示すブロック図である。
【図４】図４は、実施の形態２にかかる情報提供装置のハードウェア構成例を示すブロック図である。
【図５】図５は、圃場ＤＢの記憶内容の一例を示す説明図である。
【図６】図６は、作業予定データの具体例を示す説明図である。
【図７】図７は、実施の形態２にかかる情報提供装置の機能的構成を示すブロック図である。
【図８】図８は、項目リストの記憶内容の一例を示す説明図（その１）である。
【図９】図９は、項目リストの記憶内容の一例を示す説明図（その２）である。
【図１０】図１０は、項目リストの記憶内容の一例を示す説明図（その３）である。
【図１１】図１１は、害虫リストの記憶内容の一例を示す説明図である。
【図１２】図１２は、項目リストの記憶内容の一例を示す説明図（その４）である。
【図１３】図１３は、病気リストの記憶内容の一例を示す説明図である。
【図１４】図１４は、項目リストの記憶内容の一例を示す説明図（その５）である。
【図１５】図１５は、作業予定テーブルの記憶内容の一例を示す説明図である。
【図１６】図１６は、実施の形態２にかかる携帯装置の機能的構成を示すブロック図である。
【図１７】図１７は、設定項目テーブルの記憶内容の一例を示す説明図である。
【図１８】図１８は、関連付け結果テーブル１８００の記憶内容の一例を示す説明図である。
【図１９】図１９は、実施の形態２にかかる情報提供装置の情報提供処理手順の一例を示すフローチャートである。
【図２０】図２０は、実施の形態２にかかる携帯装置の作業支援処理手順の一例を示すフローチャートである。
【図２１】図２１は、実施の形態２にかかる携帯装置のディスプレイの画面例を示す説明図（その１）である。
【図２２】図２２は、実施の形態２にかかる携帯装置のディスプレイの画面例を示す説明図（その２）である。
【図２３】図２３は、実施の形態２にかかる携帯装置のディスプレイの画面例を示す説明図（その３）である。
【図２４】図２４は、実施の形態２にかかる携帯装置のディスプレイの画面例を示す説明図（その４）である。
【図２５】図２５は、実施の形態２にかかる情報提供装置のディスプレイの画面例を示す説明図である。
【図２６】図２６は、木構造の一例を示す説明図である。
【図２７】図２７は、実施の形態３にかかる携帯装置の作業支援処理手順の一例を示すフローチャートである。
【図２８】図２８は、実施の形態３にかかる携帯装置のディスプレイの画面例を示す説明図（その１）である。
【図２９】図２９は、実施の形態３にかかる携帯装置のディスプレイの画面例を示す説明図（その２）である。
【図３０】図３０は、実施の形態３にかかる携帯装置のディスプレイの画面例を示す説明図（その３）である。
【発明を実施するための形態】
【００１２】
以下に添付図面を参照して、この発明にかかる携帯装置、作業支援プログラム、情報提供方法および情報提供プログラムの実施の形態を詳細に説明する。各実施の形態は、矛盾の無い範囲で組み合わせて実施することができる。
【００１３】
（実施の形態１）
図１は、実施の形態１にかかる携帯装置の作業支援処理の一実施例を示す説明図である。図１において、携帯装置１０１は、作業者Ｗが使用するコンピュータである。携帯装置１０１は、静止画や動画を撮影する機能を有する。
【００１４】
作業者Ｗは、農作業に従事する者である。作業者Ｗは、農作業の一環として圃場や作物を撮影する。ここで、圃場とは、作物を栽培、生育するための田畑、菜園などである。作物とは、例えば、田畑や菜園などで作られる穀類や野菜などの農作物である。圃場や作物を撮影する目的は、圃場の状態、作物の生育状況、病害虫の発生状況など様々である。
【００１５】
このため、同じ圃場を撮影した撮影画像であっても、何の目的で撮影されたものなのかによって、撮影画像の着目すべき点が異なる場合がある。そこで、実施の形態１では、撮影画像を見た人が、何の目的で撮影されたものなのかを判断し易くするために、撮影画像と撮影意図との関連付けを簡単な操作入力により行う手法について説明する。
【００１６】
以下、実施の形態１にかかる携帯装置１０１の作業支援処理手順の一実施例について説明する。ここでは、作業者Ｗが、圃場における害虫（アブラムシ）の発生状況を報告するために、キャベツに付着しているアブラムシを撮影する場合を例に挙げて説明する。
【００１７】
（１）携帯装置１０１は、農作業に従事する者の撮影意図を表す項目群のいずれかの項目を選択する操作入力を検出する。ここで、撮影意図を表す項目とは、撮影の動機付けとなり得る対象物（例えば、圃場、作物、害虫）または事象（例えば、病害虫の発生、生育不良）を表すものである。
【００１８】
撮影意図を表す項目は、例えば、文字、記号、図形、または、それらの組合せによって表現される。図１の例では、撮影意図を表す項目の一例として、病気の発生、害虫の発生、作物の生育不良を表す項目Ｃ１〜Ｃ３が、被写体とともにディスプレイ１１０に表示されている。作業者Ｗは、何を目的として被写体を撮影するのかに応じて、項目Ｃ１〜Ｃ３の中からいずれかの項目を選択する。
【００１９】
（２）携帯装置１０１は、項目群Ｃ１〜Ｃ３のいずれかの項目を選択する操作入力を検出した場合、ディスプレイ１１０に表示されている被写体を撮影する。すなわち、作業者Ｗによる項目を選択する操作入力と連動して被写体の撮影が行われる。図１の例では、作業者Ｗにより項目Ｃ２が選択された結果、圃場で栽培されているキャベツとキャベツに付着しているアブラムシとを含む撮影画像１１１が撮影されている。
【００２０】
（３）携帯装置１０１は、撮影した撮影画像１１１と、操作入力を検出した項目Ｃ２とを関連付けて出力する。具体的には、例えば、携帯装置１０１が、撮影画像１１１と項目Ｃ２とを関連付けてメモリ（例えば、後述の図３に示すメモリ３０２）に記録する。図１の例では、撮影画像１１１とともに項目Ｃ２の項目内容１１２（害虫）がディスプレイ１１０に表示されている。
【００２１】
以上説明したように、実施の形態１にかかる携帯装置１０１によれば、作業者Ｗによって撮影された撮影画像１１１と、作業者Ｗの撮影意図とを関連付けることができる。また、作業者Ｗによる項目Ｃ２を選択する操作入力と連動して被写体の撮影が行われるため、容易な操作で撮影画像１１１と撮影意図とを関連付けることができる。
【００２２】
また、撮影画像１１１の閲覧時には、撮影画像１１１とともに項目Ｃ２の項目内容１１２（害虫）が表示されるため、撮影画像１１１を見た人が、作業者Ｗの撮影意図を判断し易くなる。このため、圃場における害虫（アブラムシ）の発生状況を迅速に把握することが可能となり、害虫被害の拡大を抑えることができる。
【００２３】
（実施の形態２）
つぎに、実施の形態２にかかる作業支援システムについて説明する。なお、実施の形態１で説明した箇所と同一箇所については説明を省略する。
【００２４】
図２は、実施の形態２にかかる作業支援システムのシステム構成例を示す説明図である。図２において、作業支援システム２００は、複数の携帯装置１０１（図２では３台のみ表示）と、情報提供装置２０１とを含む。作業支援システム２００において、複数の携帯装置１０１と情報提供装置２０１は、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などのネットワーク２１０を介して接続されている。情報提供装置２０１と携帯装置１０１とを結ぶ通信回線は、無線でも有線でも構わない。
【００２５】
ここで、情報提供装置２０１は、圃場ＤＢ（データベース）２２０を備え、農作業に従事する各々の作業者Ｗの携帯装置１０１に情報を提供するコンピュータである。圃場ＤＢ２２０の記憶内容については、図５および図６を用いて後述する。また、情報提供装置２０１は、各々の作業者Ｗが使用する携帯装置１０１により撮影された撮影画像を一元的に管理する。情報提供装置２０１は、例えば、複数の作業者Ｗが出入りする事務所などに設置されている。
【００２６】
（携帯装置１０１のハードウェア構成例）
図３は、実施の形態２にかかる携帯装置のハードウェア構成例を示すブロック図である。図３において、携帯装置１０１は、ＣＰＵ（Ｃｅｎｔｒａｌ  Ｐｒｏｃｅｓｓｉｎｇ  Ｕｎｉｔ）３０１と、メモリ３０２と、カメラ３０３と、Ｉ／Ｆ（Ｉｎｔｅｒｆａｃｅ）３０４と、入力装置３０５と、ディスプレイ１１０と、を備えている。また、各構成部はバス３００によってそれぞれ接続されている。
【００２７】
ここで、ＣＰＵ３０１は、携帯装置１０１の全体の制御を司る。メモリ３０２は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを含む。ＲＯＭおよびフラッシュＲＯＭは、例えば、ブートプログラムなどの各種プログラムを記憶する。ＲＡＭは、ＣＰＵ３０１のワークエリアとして使用される。
【００２８】
カメラ３０３は、静止画または動画を撮影し、画像データとして出力する。カメラ３０３により撮影された撮影画像は、例えば、画像データとしてメモリ３０２に記録される。なお、カメラ３０３は、夜間での撮影を可能とする赤外線カメラであってもよい。
【００２９】
Ｉ／Ｆ３０４は、通信回線を通じてネットワーク２１０に接続され、ネットワーク２１０を介して他の装置（例えば、情報提供装置２０１）に接続される。そして、Ｉ／Ｆ３０４は、ネットワーク２１０と内部のインターフェースを司り、外部装置からのデータの入出力を制御する。
【００３０】
入力装置３０５は、データの入力を行う。入力装置３０５は、文字、数字、各種指示などの入力のためのキーを備えるものであってもよく、また、タッチパネル式の入力パッドやテンキーなどであってもよい。
【００３１】
ディスプレイ１１０は、カーソル、アイコンあるいはツールボックスをはじめ、文書、画像、機能情報などのデータを表示する。ディスプレイ１１０は、タッチパネル式の入力パッドやテンキーなどの入力装置３０５と組み合わせたものであってもよい。ディスプレイ１１０としては、例えば、ＴＦＴ液晶ディスプレイ、プラズマディスプレイなどを採用することができる。
【００３２】
（情報提供装置２０１のハードウェア構成例）
図４は、実施の形態２にかかる情報提供装置のハードウェア構成例を示すブロック図である。図４において、情報提供装置２０１は、ＣＰＵ４０１と、ＲＯＭ４０２と、ＲＡＭ４０３と、磁気ディスクドライブ４０４と、磁気ディスク４０５と、光ディスクドライブ４０６と、光ディスク４０７と、ディスプレイ４０８と、Ｉ／Ｆ４０９と、キーボード４１０と、マウス４１１と、スキャナ４１２と、プリンタ４１３と、を有している。また、各構成部はバス４００によってそれぞれ接続されている。
【００３３】
ここで、ＣＰＵ４０１は、情報提供装置２０１の全体の制御を司る。ＲＯＭ４０２は、ブートプログラムなどのプログラムを記憶している。ＲＡＭ４０３は、ＣＰＵ４０１のワークエリアとして使用される。磁気ディスクドライブ４０４は、ＣＰＵ４０１の制御にしたがって磁気ディスク４０５に対するデータのリード／ライトを制御する。磁気ディスク４０５は、磁気ディスクドライブ４０４の制御で書き込まれたデータを記憶する。
【００３４】
光ディスクドライブ４０６は、ＣＰＵ４０１の制御にしたがって光ディスク４０７に対するデータのリード／ライトを制御する。光ディスク４０７は、光ディスクドライブ４０６の制御で書き込まれたデータを記憶したり、光ディスク４０７に記憶されたデータをコンピュータに読み取らせたりする。
【００３５】
ディスプレイ４０８は、カーソル、アイコンあるいはツールボックスをはじめ、文書、画像、機能情報などのデータを表示する。ディスプレイ４０８としては、例えば、ＣＲＴ、ＴＦＴ液晶ディスプレイ、プラズマディスプレイなどを採用することができる。
【００３６】
Ｉ／Ｆ４０９は、通信回線を通じてネットワーク２１０に接続され、ネットワーク２１０を介して他の装置（例えば、携帯装置１０１）に接続される。そして、Ｉ／Ｆ４０９は、ネットワーク２１０と内部のインターフェースを司り、外部装置からのデータの入出力を制御する。Ｉ／Ｆ４０９には、例えば、モデムやＬＡＮアダプタなどを採用することができる。
【００３７】
キーボード４１０は、文字、数字、各種指示などの入力のためのキーを備え、データの入力を行う。また、タッチパネル式の入力パッドやテンキーなどであってもよい。マウス４１１は、カーソルの移動や範囲選択、あるいはウィンドウの移動やサイズの変更などを行う。ポインティングデバイスとして同様に機能を備えるものであれば、トラックボールやジョイスティックなどであってもよい。
【００３８】
スキャナ４１２は、画像を光学的に読み取り、情報提供装置２０１内に画像データを取り込む。なお、スキャナ４１２は、ＯＣＲ（Ｏｐｔｉｃａｌ  Ｃｈａｒａｃｔｅｒ  Ｒｅａｄｅｒ）機能を持たせてもよい。また、プリンタ４１３は、画像データや文書データを印刷する。プリンタ４１３には、例えば、レーザプリンタやインクジェットプリンタを採用することができる。なお、情報提供装置２０１は、光ディスクドライブ４０６やスキャナ４１２やプリンタ４１３を有していなくても構わない。
【００３９】
（圃場ＤＢ２２０の記憶内容）
つぎに、情報提供装置２０１が備える圃場ＤＢ２２０の記憶内容について説明する。圃場ＤＢ２２０は、例えば、図４に示した情報提供装置２０１のＲＡＭ４０３、磁気ディスク４０５、光ディスク４０７などの記憶装置により実現される。
【００４０】
図５は、圃場ＤＢの記憶内容の一例を示す説明図である。図５において、圃場ＤＢ２２０は、圃場ＩＤ、圃場名、品目、品種、作型、生育ステージ、圃場位置および作業予定データのフィールドを有する。各フィールドに情報を設定することで、圃場Ｆ１〜Ｆｍの圃場データ５００−１〜５００−ｍがレコードとして記憶されている。
【００４１】
ここで、圃場ＩＤは、各地に点在する圃場Ｆ１〜Ｆｍの識別子である。以下、圃場Ｆ１〜Ｆｍのうち任意の圃場を「圃場Ｆｊ」と表記する（ｊ＝１，２，…，ｍ）。圃場名は、圃場Ｆｊの名称である。品目は、圃場Ｆｊで栽培されている作物の種類である。品目としては、例えば、水稲、キャベツ、ニンジンなどがある。
【００４２】
品種は、同一品目の中の種類である。品種としては、例えば、コシヒカリ（稲）、ひとめぼれ（稲）、秋冬キャベツ（キャベツ）、冬キャベツ（キャベツ）、春キャベツ（キャベツ）などがある。作型は、作物の栽培を行うときの条件や技術の組合せを示す体系である。作型としては、例えば、直播、田植え、春まき栽培、夏まき栽培、秋まき栽培、冬まき栽培などがある。
【００４３】
生育ステージは、圃場Ｆｊで栽培されている作物の生育段階を示すものである。生育ステージとしては、例えば、播種期、出穂期、生育期、成熟期、収穫期などがある。圃場位置は、圃場Ｆｊの位置を示す情報である。ここでは、圃場位置として、地図上にマッピングされた圃場Ｆｊの重心位置が示されている。地図とは、圃場群Ｆ１〜Ｆｍを一定の割合で縮小して、Ｘ軸とＹ軸とからなる座標平面上に表した図面データである。作業予定データは、圃場Ｆｊで行われる農作業の作業予定を示す情報である。作業予定データについての詳細な説明は、図６を用いて後述する。
【００４４】
圃場データ５００−１を例に挙げると、圃場Ｆ１の圃場名「圃場Ａ」、品目「キャベツ」、品種「秋冬キャベツ」、作型「秋まき」、生育ステージ「播種期」および圃場位置「Ｘ１，Ｙ１」が示されている。また、圃場データ５００−１には作業予定データＷ１が設定されている。ここで、圃場Ｆ１の作業予定データＷ１を例に挙げて、作業予定データＷｊの具体例について説明する。
【００４５】
図６は、作業予定データの具体例を示す説明図である。図６において、作業予定データＷ１は、圃場ＩＤ、作業予定日、作業予定時刻、作業内容および作業者のフィールドを有する。各フィールドの情報を設定することで、作業予定データ（例えば、作業予定データ６００−１〜６００−５）がレコードとして記憶されている。
【００４６】
圃場ＩＤは、圃場Ｆｊの識別子である。作業予定日は、圃場Ｆｊで農作業が行われる予定の年月日である。作業予定時刻は、圃場Ｆｊで農作業が行われる予定の時刻である。作業内容は、圃場Ｆｊで行われる農作業の内容である。作業内容としては、例えば、除草、見回り、葉切り、耕運、定植、肥料散布、農薬散布、収穫などがある。作業者は、圃場Ｆｊで行われる農作業の作業者を一意に特定可能な情報である。
【００４７】
作業予定データ６００−１を例に挙げると、作業予定日「２０１１／０１／０８」および作業予定時刻「１４：００−１４：０５」に圃場Ｆ１で行われる予定の農作業の作業内容「見回り」および作業者「作業者Ａ」が示されている。
【００４８】
（情報提供装置２０１の機能的構成例）
つぎに、実施の形態２にかかる情報提供装置２０１の機能的構成例について説明する。図７は、実施の形態２にかかる情報提供装置の機能的構成を示すブロック図である。図７において、情報提供装置２０１は、受信部７０１と、検索部７０２と、抽出部７０３と、送信部７０４と、を含む構成である。この制御部となる機能（受信部７０１〜送信部７０４）は、具体的には、例えば、図４に示したＲＯＭ４０２、ＲＡＭ４０３、磁気ディスク４０５、光ディスク４０７などの記憶装置に記憶されたプログラムをＣＰＵ４０１に実行させることにより、または、Ｉ／Ｆ４０９により、その機能を実現する。各機能部の処理結果は、例えば、ＲＡＭ４０３、磁気ディスク４０５、光ディスク４０７などの記憶装置に記憶される。
【００４９】
受信部７０１は、作業者Ｗが使用している携帯装置１０１から、携帯装置１０１の位置情報を受信する機能を有する。なお、受信された携帯装置１０１の位置情報には、例えば、受信された時点を示す情報（例えば、日時）がタイムスタンプとして付与されることにしてもよい。
【００５０】
検索部７０２は、圃場ＤＢ２２０内の圃場Ｆ１〜Ｆｍの圃場位置Ｌ１〜Ｌｍと、受信された携帯装置１０１の位置情報とに基づいて、圃場Ｆ１〜Ｆｍの中から圃場Ｆｊを検索する機能を有する。具体的には、例えば、まず、検索部７０２が、各圃場Ｆ１〜Ｆｍの圃場位置Ｌ１〜Ｌｍと、携帯装置１０１の位置情報が示す座標位置との距離ｄ１〜ｄｍを算出する。
【００５１】
そして、検索部７０２が、例えば、圃場Ｆ１〜Ｆｍの中から距離ｄｊが最短となる圃場Ｆｊを検索する。また、検索部７０２が、圃場Ｆ１〜Ｆｍの中から距離ｄｊが所定距離（例えば、５〜１０［ｍ］）以下となる圃場ｄｊを検索することにしてもよい。また、検索部７０２が、圃場Ｆ１〜Ｆｍの中から、距離ｄｊが短い上位複数個（例えば、３個）の圃場を検索することにしてもよい。
【００５２】
これにより、圃場Ｆ１〜Ｆｍの中から携帯装置１０１の近傍に存在する圃場Ｆｊを特定することができる。以下、検索された圃場Ｆｊを「特定圃場Ｆ」という。
【００５３】
抽出部７０３は、圃場ＤＢ２２０の中から、検索された特定圃場Ｆを特徴付ける情報を抽出する機能を有する。具体的には、例えば、抽出部７０３が、圃場ＤＢ２２０の中から、特定圃場Ｆの圃場名を抽出する。抽出された抽出結果は、例えば、記憶装置内の項目リストＬＴに登録される。
【００５４】
ここで、項目リストＬＴの記憶内容について説明する。ここでは、特定圃場Ｆとして、圃場Ｆ１〜Ｆｍの中から圃場Ｆ１，Ｆ２，Ｆ３が検索された場合を例に挙げて説明する。
【００５５】
図８は、項目リストの記憶内容の一例を示す説明図（その１）である。図８において、項目リストＬＴは、項目ＩＤおよび項目内容のフィールドを有する。各フィールドに情報を設定することで、項目データ８００−１〜８００−３がレコードとして記憶されている。なお、項目ＩＤは、項目の識別子である。
【００５６】
ここで、項目データ８００−１は、項目Ｃ１の項目内容「圃場Ａ」を示している。項目データ８００−２は、項目Ｃ２の項目内容「圃場Ｂ」を示している。項目データ８００−３は、項目Ｃ３の項目内容「圃場Ｃ」を示している。すなわち、各項目Ｃ１〜Ｃ３の項目内容は、携帯装置１０１の近傍に存在する圃場Ｆ１〜Ｆ３の圃場名（圃場Ａ，圃場Ｂ，圃場Ｃ）を示している。
【００５７】
送信部７０４は、特定圃場Ｆを撮影する農作業に従事する者の撮影意図を表す情報として、特定圃場Ｆを特徴付ける情報を携帯装置１０１に送信する機能を有する。具体的には、例えば、送信部７０４が、図８に示した項目リストＬＴを携帯装置１０１に送信する。これにより、携帯装置１０１の近傍に存在する特定圃場Ｆの圃場名を、撮影意図を表す情報として携帯装置１０１に提供することができる。
【００５８】
また、抽出部７０３は、圃場ＤＢ２２０の中から、特定圃場Ｆで栽培されている作物を特徴付ける情報を抽出する機能を有する。具体的には、例えば、抽出部７０３が、圃場ＤＢ２２０の中から、特定圃場Ｆで栽培されている作物の品目、品種および作型の少なくともいずれかの情報を抽出する。抽出された抽出結果は、例えば、記憶装置内の項目リストＬＴに登録される。
【００５９】
ここで、項目リストＬＴの記憶内容について説明する。ここでは、上記同様に、特定圃場Ｆとして、圃場Ｆ１〜Ｆｍの中から圃場Ｆ１，Ｆ２，Ｆ３が検索された場合を例に挙げて説明する。
【００６０】
図９は、項目リストの記憶内容の一例を示す説明図（その２）である。図９において、項目リストＬＴは、項目データ９００−１〜９００−３を記憶している。
【００６１】
ここで、項目データ９００−１は、項目Ｃ１の項目内容「キャベツ」を示している。項目データ９００−２は、項目Ｃ２の項目内容「水稲」を示している。項目データ９００−３は、項目Ｃ３の項目内容「ニンジン」を示している。すなわち、各項目Ｃ１〜Ｃ３の項目内容は、携帯装置１０１の近傍に存在する圃場Ｆ１〜Ｆ３で栽培されている作物の品目（キャベツ、水稲、ニンジン）を示している。
【００６２】
送信部７０４は、特定圃場Ｆを撮影する農作業に従事する者の撮影意図を表す情報として、特定圃場Ｆで栽培されている作物を特徴付ける情報を携帯装置１０１に送信する機能を有する。具体的には、例えば、送信部７０４が、図９に示した項目リストＬＴを携帯装置１０１に送信する。これにより、携帯装置１０１の近傍に存在する特定圃場Ｆで栽培されている作物の品目を、撮影意図を表す情報の候補として携帯装置１０１に提供することができる。
【００６３】
また、抽出部７０３は、圃場ＤＢ２２０の中から、特定圃場Ｆで行われる農作業の作業内容を特徴付ける情報を抽出する機能を有する。具体的には、例えば、抽出部７０３が、圃場ＤＢ２２０の中から、携帯装置１０１の位置情報が受信された日（または、日時）に、特定圃場Ｆで行われる予定の農作業の作業内容を抽出する。
【００６４】
ここで、携帯装置１０１の位置情報が受信された日を「２０１０／１０／１４」とし、また、特定圃場Ｆとして、圃場Ｆ１〜Ｆｍの中から圃場Ｆ１が検索された場合を想定する。この場合、抽出部７０３が、図６に示した作業予定データＷ１の中から、作業予定日「２０１０／１０／１４」に圃場Ｆ１で行われる農作業の作業内容「収穫」および「耕運」を抽出する。抽出された抽出結果は、例えば、記憶装置内の項目リストＬＴに登録される。
【００６５】
図１０は、項目リストの記憶内容の一例を示す説明図（その３）である。図１０において、項目リストＬＴは、項目データ１０００−１，１０００−２を記憶している。
【００６６】
ここで、項目データ１０００−１は、項目Ｃ１の項目内容「収穫」を示している。項目データ１０００−２は、項目Ｃ２の項目内容「耕運」を示している。すなわち、各項目Ｃ１，Ｃ２の項目内容は、携帯装置１０１の近傍に存在する圃場Ｆ１で行われる農作業の作業内容（収穫、耕運）を示している。
【００６７】
送信部７０４は、特定圃場Ｆを撮影する農作業に従事する者の撮影意図を表す情報として、特定圃場Ｆで行われる農作業の作業内容を特徴付ける情報を携帯装置１０１に送信する機能を有する。具体的には、例えば、送信部７０４が、図１０に示した項目リストＬＴを携帯装置１０１に送信する。これにより、携帯装置１０１の近傍に存在する特定圃場Ｆで行われる予定の農作業の作業内容を、撮影意図を表す情報の候補として携帯装置１０１に提供することができる。
【００６８】
また、抽出部７０３は、作物と該作物に有害な作用を及ぼす作物特有の害虫とを関連付けて記憶する害虫リストの中から、特定圃場Ｆで栽培されている作物特有の害虫を特徴付ける情報を抽出する機能を有する。ここで、害虫リストの記憶内容について説明する。
【００６９】
図１１は、害虫リストの記憶内容の一例を示す説明図である。図１１において、害虫リスト１１００は、作物名および害虫名のフィールドを有し、各フィールドに情報を設定することで、害虫データ（例えば、害虫データ１１００−１〜１１００−４）をレコードとして記憶している。
【００７０】
作物名は、作物の名称（品目）である。害虫名は、作物に有害な作用を及ぼす作物特有の害虫の名称である。害虫データ１１００−１を例に挙げると、作物「水稲」に有害な作用を及ぼす作物特有の害虫名「ニカメイガ」、「イチモンジセセリ」および「トビイロウンカ」が示されている。また、害虫データ１１００−２を例に挙げると、作物「ナス」に有害な作用を及ぼす作物特有の害虫名「ミナミキイロアザミウマ」および「オオタバコガ」が示されている。害虫リスト１１００は、例えば、図４に示した情報提供装置２０１のＲＡＭ４０３、磁気ディスク４０５、光ディスク４０７などの記憶装置に記憶されている。
【００７１】
ここで、特定圃場Ｆとして、圃場Ｆ１〜Ｆｍの中から圃場Ｆ２が検索された場合を想定する。この場合、抽出部７０３は、害虫リスト１１００の中から、圃場Ｆ２で栽培されている作物「水稲」特有の害虫の害虫名「ニカメイガ」、「イチモンジセセリ」および「トビイロウンカ」を抽出する。抽出された抽出結果は、例えば、記憶装置内の項目リストＬＴに登録される。
【００７２】
図１２は、項目リストの記憶内容の一例を示す説明図（その４）である。図１２において、項目リストＬＴは、項目データ１２００−１〜１２００−３を記憶している。ここで、項目データ１２００−１は、項目Ｃ１の項目内容「ニカメイガ」を示している。項目データ１２００−２は、項目Ｃ２の項目内容「イチモンジセセリ」を示している。
【００７３】
項目データ１２００−３は、項目Ｃ３の項目内容「トビイロウンカ」を示している。すなわち、各項目Ｃ１，Ｃ２，Ｃ３の項目内容は、携帯装置１０１の近傍に存在する圃場Ｆ２で栽培されている作物特有の害虫（ニカメイガ、イチモンジセセリ、トビイロウンカ）を示している。
【００７４】
送信部７０４は、特定圃場Ｆを撮影する農作業に従事する者の撮影意図を表す情報の候補として、特定圃場Ｆで栽培されている作物特有の害虫を特徴付ける情報を携帯装置１０１に送信する機能を有する。具体的には、例えば、送信部７０４が、図１２に示した項目リストＬＴを携帯装置１０１に送信する。これにより、携帯装置１０１の近傍に存在する特定圃場Ｆで栽培されている作物特有の害虫名を、撮影意図を表す情報の候補として携帯装置１０１に提供することができる。
【００７５】
また、抽出部７０３は、作物と該作物に有害な作用を及ぼす作物特有の病気とを関連付けて記憶する病気リストの中から、特定圃場Ｆで栽培されている作物特有の病気を特徴付ける情報を抽出する機能を有する。ここで、作物として「水稲」を例に挙げて、病気リストの記憶内容について説明する。
【００７６】
図１３は、病気リストの記憶内容の一例を示す説明図である。図１３において、病気リスト１３００は、病名および生育ステージのフィールドを有し、各フィールドに情報を設定することで、病気データ（例えば、病気データ１３００−１〜１３００−４）をレコードとして記憶している。
【００７７】
病名は、作物（ここでは、水稲）に有害な作用を及ぼす作物特有の病気の名称である。生育ステージは、病気の発生時期を示す作物の生育段階である。「水稲」の生育ステージは、例えば、「育苗期→出穂期→乳熟期→黄熱期→成熟期→収穫期」である。
【００７８】
病名データ１３００−１を例に挙げると、作物「水稲」に有害な作用を及ぼす作物特有の病名「いもち病」と、「いもち病」の発生時期を示す生育ステージ「ＡＬＬ」が示されている。なお、「ＡＬＬ」は、すべての生育ステージで発生する可能性があることを示している。
【００７９】
また、病名データ１３００−４を例に挙げると、作物「水稲」に有害な作用を及ぼす作物特有の病名「斑点米カメムシ」と、「斑点米カメムシ」の発生時期を示す生育ステージ「出穂期〜成熟期」が示されている。病気リスト１３００は、例えば、図４に示した情報提供装置２０１のＲＡＭ４０３、磁気ディスク４０５、光ディスク４０７などの記憶装置に記憶されている。
【００８０】
ここで、特定圃場Ｆとして、圃場Ｆ１〜Ｆｍの中から圃場Ｆ４が検索された場合を想定する。ここで、圃場Ｆ４で栽培されている作物は「水稲」であり、生育ステージは「育苗期」である。この場合、抽出部７０３は、病気リスト１３００の中から、生育ステージ「育苗期」に対応する病名「いもち病」および「苗立枯細菌病」を抽出する。抽出された抽出結果は、例えば、記憶装置内の項目リストＬＴに登録される。
【００８１】
図１４は、項目リストの記憶内容の一例を示す説明図（その５）である。図１４において、項目リストＬＴは、項目データ１４００−１，１４００−２を記憶している。ここで、項目データ１４００−１は、項目Ｃ１の項目内容「いもち病」を示している。項目データ１４００−２は、項目Ｃ２の項目内容「苗立枯細菌病」を示している。すなわち、各項目Ｃ１，Ｃ２の項目内容は、携帯装置１０１の近傍に存在する圃場Ｆ４で栽培されている作物特有の病名（いもち病、苗立枯細菌病）を示している。
【００８２】
送信部７０４は、特定圃場Ｆを撮影する農作業に従事する者の撮影意図を表す情報の候補として、特定圃場Ｆで栽培されている作物特有の病気を特徴付ける情報を携帯装置１０１に送信する機能を有する。具体的には、例えば、送信部７０４が、図１４に示した項目リストＬＴを携帯装置１０１に送信する。これにより、携帯装置１０１の近傍に存在する特定圃場Ｆで栽培されている作物特有の病名を、撮影意図を表す情報の候補として携帯装置１０１に提供することができる。
【００８３】
また、受信部７０１は、携帯装置１０１を使用している作業者Ｗの作業者ＩＤを携帯装置１０１から受信することにしてもよい。ここで、作業者ＩＤとは、携帯装置１０１を使用している作業者Ｗを一意に特定する情報である。
【００８４】
また、抽出部７０３は、作業予定テーブルの中から、受信された作業者ＩＤから特定される作業者Ｗが行う農作業の作業内容を特徴付ける情報を抽出することにしてもよい。作業予定テーブルとは、各々の作業者Ｗの作業者ＩＤと、各々の作業者によって行われる予定の農作業の作業内容とを関連付けて記憶する情報である。ここで、作業予定テーブルについて説明する。作業予定テーブルは、例えば、ＲＡＭ４０３、磁気ディスク４０５、光ディスク４０７などの記憶装置に記憶されている。
【００８５】
図１５は、作業予定テーブルの記憶内容の一例を示す説明図である。図１５において、作業予定テーブル１５００は、各作業者Ｗの作業予定リスト（例えば、作業予定リスト１５００−１，１５００−２）を記憶している。作業者ＩＤは、作業者Ｗを一意に特定する情報である。作業予定日は、作業者Ｗによって農作業が行われる予定日である。作業内容は、作業者Ｗによって行われる予定の農作業の作業内容である。
【００８６】
まず、抽出部７０３は、作業予定テーブル１５００の中から、受信された作業者ＩＤに対応する作業予定リストを特定する。ここで、作業者ＩＤ「Ｕ１」が受信された場合を想定する。この場合、抽出部７０３が、作業予定テーブル１５００の中から、作業者ＩＤ「Ｕ１」に対応する作業予定リスト１５００−１を特定する。
【００８７】
そして、抽出部７０３が、特定した作業予定リスト１５００−１の中から、作業者ＩＤが受信された日（または、日時）に、作業者Ｗが行う予定の農作業の作業内容を抽出する。ここで、作業者ＩＤ「Ｕ１」が受信された日を「２０１０／１０／０７」とする。この場合、抽出部７０３が、作業予定リスト１５００−１の中から、作業予定日「２０１０／１０／０７」に作業者Ｕ１が行う農作業の作業内容「葉切り」、「見回り」および「耕運」を抽出する。これにより、作業者Ｗが行う予定の農作業の作業内容を特定することができる。
【００８８】
なお、農作業に従事する者の撮影意図を表す情報の候補として、例えば、受信した日の気象情報（気温、湿度、降雨量）から特定される障害例（例えば、霜、高温障害など）を用いることにしてもよい。また、特定圃場Ｆの土壌不良や作物の生育不良の状態を示すコメント文（例えば、発芽率が悪い、草丈が短いなど）を用いることにしてもよい。
【００８９】
（携帯装置１０１の機能的構成例）
つぎに、実施の形態２にかかる携帯装置１０１の機能的構成例について説明する。図１６は、実施の形態２にかかる携帯装置の機能的構成を示すブロック図である。図１６において、携帯装置１０１は、取得部１６０１と、通信部１６０２と、設定部１６０３と、表示制御部１６０４と、検出部１６０５と、指示部１６０６と、関連付け部１６０７と、出力部１６０８と、を含む構成である。この制御部となる機能（取得部１６０１〜出力部１６０８）は、具体的には、例えば、図３に示したメモリ３０２に記憶されたプログラムをＣＰＵ３０１に実行させることにより、または、Ｉ／Ｆ３０４により、その機能を実現する。各機能部の処理結果は、例えば、メモリ３０２に記憶される。
【００９０】
取得部１６０１は、自装置の位置情報を取得する機能を有する。具体的には、例えば、取得部１６０１が自装置に搭載されたＧＰＳ（Ｇｌｏｂａｌ  Ｐｏｓｉｔｉｏｎｉｎｇ  Ｓｙｓｔｅｍ）により、自装置の位置情報を取得する。この際、携帯装置１０１は、ＤＧＰＳ（Ｄｉｆｆｅｒｅｎｔｉａｌ  ＧＰＳ）により、ＧＰＳにより取得した位置情報を補正することにしてもよい。
【００９１】
また、取得部１６０１が、各地に点在する無線基地局のうち通信中の基地局から該基地局の位置情報を受信して、自装置の位置情報として取得することにしてもよい。取得部１６０１による位置情報の取得処理は、例えば、一定時間間隔（例えば、２分間隔）で行われてもよく、また、カメラ３０３の起動時に行われてもよい。
【００９２】
通信部１６０２は、取得された自装置の位置情報を情報提供装置２０１に送信する機能を有する。通信部１６０２による位置情報の送信処理は、例えば、一定時間間隔（例えば、２分間隔）で行われてもよく、また、カメラ３０３の起動時に行われてもよい。また、通信部１６０２は、自装置を使用している作業者Ｗの作業者ＩＤを情報提供装置２０１に送信する機能を有する。
【００９３】
また、通信部１６０２は、自装置の位置情報（または、作業者Ｗの作業者ＩＤ）を送信した結果、情報提供装置２０１から項目データを受信する機能を有する。ここで、項目データとは、農作業に従事する者の撮影意図を表す情報である。具体的には、例えば、通信部１６０２が、情報提供装置２０１から項目リストＬＴ（例えば、図８〜図１０，図１２，図１４参照）を受信する。
【００９４】
設定部１６０３は、農作業に従事する者の撮影意図を表す項目の項目内容を設定する機能を有する。具体的には、例えば、設定部１６０３が、受信された項目リストＬＴに基づいて、農作業に従事する者の撮影意図を表す項目の項目内容を設定する。
【００９５】
ここで、図８に示した項目リストＬＴを例に挙げると、設定部１６０３が、項目Ｃ１に項目内容「圃場Ａ」を設定し、項目Ｃ２に項目内容「圃場Ｂ」を設定し、項目Ｃ３に項目内容「圃場Ｃ」を設定する。設定された設定結果は、例えば、図１７に示す設定項目テーブル１７００に記憶される。設定項目テーブル１７００は、例えば、メモリ３０２により実現される。ここで、設定項目テーブル１７００について説明する。
【００９６】
図１７は、設定項目テーブルの記憶内容の一例を示す説明図である。図１７において、設定項目テーブル１７００は、項目ＩＤおよび項目内容のフィールドを有する。各フィールドに情報を設定することで、設定項目データがレコードとして記憶される。
【００９７】
図１７の（１７−１）において、設定項目テーブル１７００内の項目ＩＤおよび項目内容の各フィールドは、情報が設定されていない未設定の状態である。ここで、上記通信部１６０２によって情報提供装置２０１から図８に示した項目リストＬＴが受信された場合を想定する。
【００９８】
図１７の（１７−２）において、項目ＩＤおよび項目内容の各フィールドに情報が設定された結果、設定項目データ１７００−１〜１７００−３がレコードとして記憶されている。ここで、設定項目データ１７００−１は、項目Ｃ１の項目内容「圃場Ａ」を示している。設定項目データ１７００−２は、項目Ｃ２の項目内容「圃場Ｂ」を示している。設定項目データ１７００−３は、項目Ｃ３の項目内容「圃場Ｃ」を示している。
【００９９】
これにより、携帯装置１０１の近傍に存在する特定圃場Ｆの圃場名を、農作業に従事する者の撮影意図を表す項目の項目内容として設定することができる。以下の説明では、農作業に従事する者の撮影意図を表す項目群を「項目群Ｃ１〜Ｃｎ」と表記し、項目群Ｃ１〜Ｃｎのうち任意の項目を「Ｃｉ」と表記する（ｉ＝１，２，…，ｎ）。
【０１００】
図１６の説明に戻り、表示制御部１６０４は、ディスプレイ１１０を制御して、項目群Ｃ１〜Ｃｎの各々の項目Ｃｉの項目内容を表示する。具体的には、例えば、カメラ３０３の起動時に、表示制御部１６０４が、図１７に示した設定項目テーブル１７００を参照して、項目Ｃ１〜Ｃ３の項目内容「圃場Ａ」、「圃場Ｂ」および「圃場Ｃ」をディスプレイ１１０（ファインダ画面）に表示する。
【０１０１】
この際、表示制御部１６０４は、ディスプレイ１１０に表示されているファインダ画面上の被写体に項目Ｃ１〜Ｃ３の項目内容を重畳表示することにしてもよい。また、項目Ｃ１〜Ｃ３の項目内容をディスプレイ１１０に表示する際のレイアウトやデザインは任意に設定可能である。なお、ディスプレイ１１０に表示される画面例については、図２１〜図２４を用いて後述する。
【０１０２】
検出部１６０５は、項目群Ｃ１〜Ｃｎのいずれかの項目Ｃｉを選択する操作入力を検出する機能を有する。項目Ｃｉを選択する操作入力は、例えば、図３に示した入力装置３０５を用いたユーザの操作入力により行われる。
【０１０３】
具体的には、例えば、検出部１６０５が、ディスプレイ１１０に表示された項目群Ｃ１〜Ｃｎの項目内容のいずれかの項目内容をユーザがタッチしたことを検出することにより、該項目内容の項目Ｃｉを選択する選択入力を検出することにしてもよい。また、検出部１６０５が、例えば、携帯装置１０１が有する複数のボタンのうち各々の項目Ｃｉが対応付けられているいずれかをユーザが押下したことを検出することにより、該ボタンに対応付けられている項目Ｃｉを選択する選択入力を検出することにしてもよい。なお、携帯装置１０１が有するボタンと各々の項目Ｃｉとの対応関係は、例えば、予め設定されてメモリ３０２に記憶されている。
【０１０４】
指示部１６０６は、項目Ｃｉを選択する操作入力が検出された場合、カメラ３０３に対して撮影指示を出力する機能を有する。カメラ３０３は、指示部１６０６からの撮影指示を受け付けると被写体を撮影する。すなわち、項目Ｃｉを選択する操作入力が、いわゆる「シャッターボタン」となってカメラ３０３による撮影が行われる。
【０１０５】
関連付け部１６０７は、撮影指示が出力された結果、カメラ３０３によって撮影された撮影画像と、選択された項目Ｃｉとを関連付ける機能を有する。具体的には、例えば、関連付け部１６０７が、カメラ３０３の撮影画像と、選択された項目Ｃｉの項目内容とを関連付けることにしてもよい。
【０１０６】
関連付けられた関連付け結果は、例えば、図１８に示す関連付け結果テーブル１８００に記憶される。関連付け結果テーブル１８００は、例えば、メモリ３０２により実現される。ここで、関連付け結果テーブル１８００について説明する。
【０１０７】
図１８は、関連付け結果テーブル１８００の記憶内容の一例を示す説明図である。図１８において、関連付け結果テーブル１８００は、画像ＩＤ、画像データおよび項目内容のフィールドを有する。各フィールドに情報を設定することで、関連付け結果（例えば、関連付け結果１８００−１，１８００−２）がレコードとして記憶されている。
【０１０８】
画像ＩＤは、カメラ３０３によって撮影された撮影画像の識別子である。画像データは、カメラ３０３によって撮影された撮影画像の画像データである。項目内容は、撮影画像に関連付けられている撮影意図を表す項目の項目内容である。
【０１０９】
ここで、関連付け結果１８００−１は、撮影画像Ｐ１の画像データＤ１と、撮影意図を表す項目の項目内容「圃場Ａ」との関連付けを示している。また、関連付け結果１８００−２は、撮影画像Ｐ２の画像データＤ２と、撮影意図を表す項目の項目内容「ニカメイガ」との関連付けを示している。
【０１１０】
図１６の説明に戻り、出力部１６０８は、関連付けられた関連付け結果を出力する機能を有する。具体的には、例えば、出力部１６０８が、図１８に示した関連付け結果テーブル１８００を参照して、関連付けられた撮影画像と項目Ｃｉの項目内容とをディスプレイ１１０に表示することにしてもよい。なお、撮影画像には、携帯装置１０１を使用している作業者Ｗの名前や撮影時刻が付与されていてもよい。
【０１１１】
出力形式としては、例えば、ディスプレイ１１０への表示のほか、プリンタ４１３への印刷出力、Ｉ／Ｆ４０９による外部装置（例えば、情報提供装置２０１）への送信がある。また、ＲＡＭ４０３、磁気ディスク４０５、光ディスク４０７などの記憶装置に記憶することとしてもよい。
【０１１２】
なお、上述した説明では、設定部１６０３が、受信された項目リストＬＴに基づいて、農作業に従事する者の撮影意図を表す項目Ｃｉの項目内容を設定することにしたが、これに限らない。例えば、撮影意図を表す項目Ｃｉの項目内容は、予め設定されて設定項目テーブル１７００に記憶されていてもよい。
【０１１３】
（情報提供装置２０１の情報提供処理手順）
つぎに、実施の形態２にかかる情報提供装置２０１の情報提供処理手順について説明する。図１９は、実施の形態２にかかる情報提供装置の情報提供処理手順の一例を示すフローチャートである。図１９のフローチャートにおいて、まず、受信部７０１により、作業者Ｗが使用している携帯装置１０１から、携帯装置１０１の位置情報を受信したか否かを判断する（ステップＳ１９０１）。
【０１１４】
ここで、受信部７０１により、携帯装置１０１の位置情報を受信するのを待つ（ステップＳ１９０１：Ｎｏ）。そして、携帯装置１０１の位置情報が受信された場合（ステップＳ１９０１：Ｙｅｓ）、検索部７０２により、圃場Ｆ１〜Ｆｍの圃場位置Ｌ１〜Ｌｍと携帯装置１０１の位置情報に基づいて、圃場Ｆ１〜Ｆｍの中から特定圃場Ｆを検索する（ステップＳ１９０２）。
【０１１５】
つぎに、抽出部７０３により、圃場ＤＢ２２０の中から、検索された特定圃場Ｆを特徴付ける情報を抽出して（ステップＳ１９０３）、特定圃場Ｆを特徴付ける情報を項目リストＬＴに登録する（ステップＳ１９０４）。そして、送信部７０４により、項目リストＬＴを携帯装置１０１に送信して（ステップＳ１９０５）、本フローチャートによる一連の処理を終了する。
【０１１６】
これにより、携帯装置１０１の近傍に存在する特定圃場Ｆを特徴付ける情報を、撮影意図を表す情報として携帯装置１０１に提供することができる。
【０１１７】
（携帯装置１０１の作業支援処理手順）
つぎに、実施の形態２にかかる携帯装置１０１の作業支援処理手順について説明する。図２０は、実施の形態２にかかる携帯装置の作業支援処理手順の一例を示すフローチャートである。
【０１１８】
図２０のフローチャートにおいて、まず、携帯装置１０１により、カメラ３０３の起動指示を受け付けたか否かを判断する（ステップＳ２００１）。なお、カメラ３０３の起動指示は、例えば、図３に示した入力装置３０５を用いたユーザの操作入力により行われる。
【０１１９】
ここで、携帯装置１０１により、カメラ３０３の起動指示を受け付けるのを待って（ステップＳ２００１：Ｎｏ）、起動指示を受け付けた場合（ステップＳ２００１：Ｙｅｓ）、取得部１６０１により、自装置の位置情報を取得する（ステップＳ２００２）。
【０１２０】
つぎに、通信部１６０２により、取得された自装置の位置情報を情報提供装置２０１に送信する（ステップＳ２００３）。そして、通信部１６０２により、情報提供装置２０１から項目リストＬＴを受信したか否かを判断する（ステップＳ２００４）。
【０１２１】
ここで、通信部１６０２により、項目リストＬＴを受信するのを待つ（ステップＳ２００４：Ｎｏ）。そして、項目リストＬＴが受信された場合（ステップＳ２００４：Ｙｅｓ）、設定部１６０３により、項目リストＬＴに基づいて、項目群Ｃ１〜Ｃｎの各々の項目Ｃｉの項目内容を設定する（ステップＳ２００５）。なお、設定された設定結果は、図１７に示した設定項目テーブル１７００に記憶される。
【０１２２】
つぎに、表示制御部１６０４により、設定項目テーブル１７００を参照して、項目群Ｃ１〜Ｃｎの各々の項目Ｃｉの項目内容をディスプレイ１１０に表示する（ステップＳ２００６）。そして、検出部１６０５により、項目群Ｃ１〜Ｃｎのいずれかの項目Ｃｉを選択する操作入力を検出したか否かを判断する（ステップＳ２００７）。
【０１２３】
ここで、検出部１６０５により、項目Ｃｉを選択する操作入力を検出するのを待って（ステップＳ２００７：Ｎｏ）、操作入力を検出した場合（ステップＳ２００７：Ｙｅｓ）、指示部１６０６により、カメラ３０３に対して撮影指示を出力する（ステップＳ２００８）。
【０１２４】
つぎに、関連付け部１６０７により、カメラ３０３により撮影された撮影画像と、選択された項目Ｃｉの項目内容とを関連付ける（ステップＳ２００９）。そして、出力部１６０８により、関連付けられた関連付け結果を出力して（ステップＳ２０１０）、本フローチャートによる一連の処理を終了する。
【０１２５】
これにより、カメラ３０３により撮影された撮影画像と、撮影意図を表す項目Ｃｉの項目内容とを関連付けて出力することができる。
【０１２６】
（携帯装置１０１のディスプレイ１１０の画面例）
つぎに、携帯装置１０１のディスプレイ１１０の画面例について説明する。ここでは、まず、上記通信部１６０２によって情報提供装置２０１から図８に示した項目リストＬＴを受信した場合を例に挙げて説明する。
【０１２７】
図２１は、実施の形態２にかかる携帯装置のディスプレイの画面例を示す説明図（その１）である。図２１の（２１−１）において、携帯装置１０１のディスプレイ１１０には、被写体とともに項目Ｃ１〜Ｃ３の項目内容「圃場Ａ」、「圃場Ｂ」および「圃場Ｃ」が表示されている。
【０１２８】
ここで、「圃場Ａ」、「圃場Ｂ」および「圃場Ｃ」は、携帯装置１０１の近傍に存在する特定圃場Ｆの圃場名である。すなわち、「圃場Ａ」、「圃場Ｂ」および「圃場Ｃ」は、携帯装置１０１の作業者Ｗによる撮影の動機付けとなり得る対象物（圃場）を候補として示しているといえる。
【０１２９】
ここでは、ディスプレイ１１０に映っている圃場の圃場名は「圃場Ａ」であり、携帯装置１０１の作業者Ｗが圃場の見回り報告を行うために圃場を撮影する場合を想定する。この場合、この作業者Ｗの撮影意図を表す項目は、被写体となる圃場の圃場名「圃場Ａ」を表す項目Ｃ１となる。
【０１３０】
図２１の（２１−２）において、項目Ｃ１を選択する操作入力が検出された結果、カメラ３０３により撮影画像Ｐ１が撮影されている。すなわち、携帯装置１０１を使用している作業者Ｗの撮影意図を表す項目Ｃ１が選択された結果、カメラ３０３により撮影画像Ｐ１が撮影されている。
【０１３１】
図２１の（２１−３）において、ディスプレイ１１０には、カメラ３０３により撮影された撮影画像Ｐ１と、携帯装置１０１を使用している作業者Ｗの撮影意図を表す項目Ｃ１の項目内容「圃場Ａ」とが関連付けて表示されている。
【０１３２】
このように、携帯装置１０１によれば、撮影の動機付けとなり得る圃場の圃場名「圃場Ａ，Ｂ，Ｃ」の中から、撮影の目的に応じた圃場名「圃場Ａ」を作業者Ｗが選択することで、撮影画像Ｐ１と作業者Ｗの撮影意図とを関連付けて出力することができる。
【０１３３】
つぎに、上記通信部１６０２によって情報提供装置２０１から図１０に示した項目リストＬＴを受信した場合を例に挙げて説明する。
【０１３４】
図２２は、実施の形態２にかかる携帯装置のディスプレイの画面例を示す説明図（その２）である。図２２の（２２−１）において、携帯装置１０１のディスプレイ１１０には、被写体とともに項目Ｃ１，Ｃ２の項目内容「収穫」および「耕運」が表示されている。
【０１３５】
ここで、「収穫」および「耕運」は、携帯装置１０１の近傍に存在する特定圃場Ｆで行われる農作業の作業内容である。すなわち、「収穫」および「耕運」は、携帯装置１０１の作業者Ｗによる撮影の動機付けとなり得る事象（農作業）を候補として示しているといえる。
【０１３６】
ここでは、携帯装置１０１の作業者Ｗが耕運作業の実施報告を行うために圃場を撮影する場合を想定する。この場合、この作業者Ｗの撮影意図を表す項目は、農作業の作業内容「耕運」を表す項目Ｃ２となる。
【０１３７】
図２２の（２２−２）において、項目Ｃ２を選択する操作入力が検出された結果、カメラ３０３により撮影画像Ｐ２が撮影されている。すなわち、携帯装置１０１を使用している作業者Ｗの撮影意図を表す項目Ｃ２が選択された結果、カメラ３０３により撮影画像Ｐ２が撮影されている。
【０１３８】
図２２の（２２−３）において、ディスプレイ１１０には、カメラ３０３により撮影された撮影画像Ｐ２と、携帯装置１０１を使用している作業者Ｗの撮影意図を表す項目Ｃ２の項目内容「耕運」とが関連付けて表示されている。
【０１３９】
このように、携帯装置１０１によれば、撮影の動機付けとなり得る農作業の作業内容「収穫、耕運」の中から、撮影の目的に応じた作業内容「耕運」を作業者Ｗが選択することで、撮影画像Ｐ２と作業者Ｗの撮影意図とを関連付けて出力することができる。
【０１４０】
つぎに、上記通信部１６０２によって情報提供装置２０１から図１２に示した項目リストＬＴを受信した場合を例に挙げて説明する。
【０１４１】
図２３は、実施の形態２にかかる携帯装置のディスプレイの画面例を示す説明図（その３）である。図２３の（２３−１）において、携帯装置１０１のディスプレイ１１０には、被写体とともに項目Ｃ１〜Ｃ３の項目内容「ニカメイガ」、「イチモンジセセリ」および「トビイロウンカ」が表示されている。
【０１４２】
ここで、「ニカメイガ」、「イチモンジセセリ」および「トビイロウンカ」は、携帯装置１０１の近傍に存在する特定圃場Ｆで栽培されている作物特有の害虫名である。すなわち、「ニカメイガ」、「イチモンジセセリ」および「トビイロウンカ」は、携帯装置１０１の作業者Ｗによる撮影の動機付けとなり得る事象（害虫発生）を候補として示しているといえる。
【０１４３】
ここでは、携帯装置１０１の作業者Ｗが水稲に付着しているニカメイガ（の幼虫）の発生報告を行うために圃場を撮影する場合を想定する。この場合、この作業者Ｗの撮影意図を表す項目は、害虫名「ニカメイガ」を表す項目Ｃ１となる。
【０１４４】
図２３の（２３−２）において、項目Ｃ１を選択する操作入力が検出された結果、カメラ３０３により撮影画像Ｐ３が撮影されている。すなわち、携帯装置１０１を使用している作業者Ｗの撮影意図を表す項目Ｃ１が選択された結果、カメラ３０３により撮影画像Ｐ３が撮影されている。
【０１４５】
図２３の（２３−３）において、ディスプレイ１１０には、カメラ３０３により撮影された撮影画像Ｐ３と、携帯装置１０１を使用している作業者Ｗの撮影意図を表す項目Ｃ１の項目内容「ニカメイガ」とが関連付けて表示されている。
【０１４６】
このように、携帯装置１０１によれば、撮影の動機付けとなり得る害虫の害虫名「ニカメイガ、イチモンジセセリ、トビイロウンカ」の中から、撮影の目的に応じた害虫名「ニカメイガ」を作業者Ｗが選択することで、撮影画像Ｐ３と作業者Ｗの撮影意図とを関連付けて出力することができる。
【０１４７】
図２１〜２３においては、ディスプレイ１１０上にソフトキーとして、選択肢（項目Ｃｉの項目内容）が出力される例を示したが、本実施例の出力の仕方はこれに限るものではない。例えば、図２１と同様の選択肢を出力する際の変形例として図２４が挙げられる。
【０１４８】
図２４は、実施の形態２にかかる携帯装置のディスプレイの画面例を示す説明図（その４）である。図２４においては、各々の項目Ｃｉが携帯装置１０１が有する複数のボタンのいずれと対応するかを、検出部１６０５が予め記憶している。そして、各々の項目Ｃｉが対応付けられているボタンのいずれかのボタンをユーザが押下したことを検出することにより、該ボタンに対応付けられている項目Ｃｉを選択する選択入力を検出する例を示している。
【０１４９】
図２４の（２４−１）において、例えば、項目Ｃ１が携帯装置１０１のボタン「１」に、項目Ｃ２がボタン「２」に、項目Ｃ３がボタン「３」にそれぞれ対応付けられているとする。
【０１５０】
図２４の（２４−２）において、項目Ｃ１を選択する操作入力、すなわちボタン「１」の押下が検出された結果、カメラ３０３により撮影画像Ｐ１が撮影されている。すなわち、携帯装置１０１を使用している作業者Ｗの撮影意図を表す項目Ｃ１が選択された結果、カメラ３０３により撮影画像Ｐ１が撮影されている。
【０１５１】
図２４の（２４−３）において、ディスプレイ１１０には、カメラ３０３により撮影された撮影画像Ｐ１と、携帯装置１０１を使用している作業者Ｗの撮影意図を表す項目Ｃ１の項目内容「圃場Ａ」とが関連付けて表示されている。
【０１５２】
（情報提供装置２０１のディスプレイ４０８の画面例）
つぎに、情報提供装置２０１のディスプレイ４０８の画面例について説明する。ここでは、情報提供装置２０１において、複数の携帯装置１０１から収集した撮影画像Ｐ１〜Ｐ３をディスプレイ４０８に一括表示する場合の画面例について説明する。
【０１５３】
図２５は、実施の形態２にかかる情報提供装置のディスプレイの画面例を示す説明図である。図２５において、ディスプレイ４０８には、携帯装置１０１により撮影された撮影画像Ｐ１〜Ｐ３に関する表示データＨ１〜Ｈ３を含む見回り結果一覧画面２５００が表示されている。
【０１５４】
表示データＨ１において、撮影画像Ｐ１には、作業者Ａの撮影意図を表す項目の項目内容「圃場Ａ」が表示されている。また、表示データＨ２において、撮影画像Ｐ２には、作業者Ｂの撮影意図を表す項目の項目内容「耕運」が表示されている。また、表示データＨ３において、撮影画像Ｐ３には、作業者Ｃの撮影意図を表す項目の項目内容「ニカメイガ」が表示されている。
【０１５５】
見回り結果一覧画面２５００によれば、各撮影画像Ｐ１〜Ｐ３とともに各作業者Ａ〜Ｃの撮影意図を表す項目の項目内容が表示されるため、閲覧者が、各撮影画像Ｐ１〜Ｐ３を撮影した作業者Ａ〜Ｃの撮影意図を判断し易くなる。この結果、圃場の状況、作物の生育状況、病害虫の発生状況などを迅速に把握することが可能となる。
【０１５６】
例えば、閲覧者が、撮影画像Ｐ３とともに表示されている害虫名「ニカメイガ」を確認することで、圃場における害虫の発生を把握することができる。また、害虫名「ニカメイガ」から害虫の駆除に必要となる農薬（例えば、ランナーフロアブル、ロムダンゾル）を特定することが可能となり、迅速かつ適切な対応策を講じることができる。
【０１５７】
なお、上述した説明では、携帯装置１０１は、情報提供装置２０１から得られる項目リストＬＴを参照して、撮影意図を表す項目Ｃｉの項目内容を設定することにしたが、これに限らない。例えば、携帯装置１０１が、農作業に従事する者の撮影意図を表す情報の候補を特定して、項目Ｃｉの項目内容に設定することにしてもよい。すなわち、携帯装置１０１が、圃場ＤＢ２２０を備え、情報提供装置２０１の検索部７０２および抽出部７０３に相当する機能部を含む構成であってもよい。
【０１５８】
以上説明したように、実施の形態２にかかる携帯装置１０１、情報提供装置２０１によれば、携帯装置１０１の近傍に存在する特定圃場Ｆの圃場名を、農作業に従事する者の撮影意図を表す項目の項目内容として設定することができる。これにより、撮影画像と、撮影の動機付けとなり得る対象物（圃場）との関連付けを容易に行うことができる。
【０１５９】
また、実施の形態２にかかる携帯装置１０１、情報提供装置２０１によれば、携帯装置１０１の近傍に存在する特定圃場Ｆで栽培されている作物の品目を、農作業に従事する者の撮影意図を表す項目の項目内容として設定することができる。これにより、撮影画像と、撮影の動機付けとなり得る対象物（作物）との関連付けを容易に行うことができる。
【０１６０】
また、実施の形態２にかかる携帯装置１０１、情報提供装置２０１によれば、携帯装置１０１の近傍に存在する特定圃場Ｆで行われる予定の農作業の作業内容を、農作業に従事する者の撮影意図を表す項目の項目内容として設定することができる。これにより、撮影画像と、撮影の動機付けとなり得る事象（農作業）との関連付けを容易に行うことができる。
【０１６１】
また、実施の形態２にかかる携帯装置１０１、情報提供装置２０１によれば、携帯装置１０１の近傍に存在する特定圃場Ｆで栽培されている作物特有の害虫名を、農作業に従事する者の撮影意図を表す項目の項目内容として設定することができる。これにより、撮影画像と、撮影の動機付けとなり得る事象（害虫発生）との関連付けを容易に行うことができる。
【０１６２】
また、実施の形態２にかかる携帯装置１０１、情報提供装置２０１によれば、携帯装置１０１の近傍に存在する特定圃場Ｆで栽培されている作物特有の病名を、農作業に従事する者の撮影意図を表す項目の項目内容として設定することができる。これにより、撮影画像と、撮影の動機付けとなり得る事象（病気発生）との関連付けを容易に行うことができる。
【０１６３】
（実施の形態３）
実施の形態３では、携帯装置１０１を使用している作業者Ｗの撮影意図を表す項目を、対話形式で絞り込む場合について説明する。以下、実施の形態３にかかる携帯装置１０１の各機能部の具体的な処理内容について説明する。なお、実施の形態１，２で説明した箇所と同一箇所についての説明は省略する。
【０１６４】
まず、農作業に従事する者の撮影意図を表す項目群Ｃ１〜Ｃｎの各々の項目Ｃｉをノードとして階層構造化された木構造について説明する。この階層構造化された木構造に関する情報は、例えば、図３に示した携帯装置１０１のメモリ３０２に記憶されている。
【０１６５】
図２６は、木構造の一例を示す説明図である。図２６において、木構造２６００は、農作業に従事する者の撮影意図を表す各項目Ｃ１〜Ｃｎを表すノードＮ１〜Ｎｎを含む。図２６中、「ｈ」は、木構造２６００の階層を表している。なお、図面では、木構造２６００の一部を抜粋して表示している。
【０１６６】
ここで、ノードＮ０は、いずれの項目も表していない根ノードである。根ノードとは、親ノードを持たないノードである。ノードＮ１〜Ｎ３は、ノードＮ０の子ノードであり、項目Ｃ１〜Ｃ３を表している。ノードＮ４〜Ｎ６は、ノードＮ１の子ノードであり、項目Ｃ４〜Ｃ６を表している。ノードＮ７〜Ｎ９は、ノードＮ４の子ノードであり、項目Ｃ７〜Ｃ９を表している。
【０１６７】
木構造２６００に含まれる各ノードＮｉが表す項目Ｃｉの項目内容は、予め任意に設定されている（ｉ＝１，２，…，ｎ）。例えば、木構造２６００において、子ノードが表す項目の項目内容は、親ノードが表す項目の項目内容を詳細化したものが設定される。具体的には、例えば、ノードＮ１が表す項目Ｃ１の項目内容が「病害虫」であった場合、ノードＮ１の子ノードＮ４〜Ｎ６が表す項目Ｃ４〜Ｃ６の項目内容は、病害虫の具体的な名称（病名、害虫名）となる。
【０１６８】
表示制御部１６０４は、木構造２６００のいずれかの階層ｈ（ただし、ｈ≠０）に属する各々のノードが表す項目の項目内容をディスプレイ１１０に表示する。具体的には、例えば、まず、表示制御部１６０４が、木構造２６００の階層１に属するノードＮ１〜Ｎ３が表す項目Ｃ１〜Ｃ３の項目内容をディスプレイ１１０に表示する。
【０１６９】
検出部１６０５は、ディスプレイ１１０に表示された階層ｈに属する各々のノードが表す項目のいずれかの項目Ｃｉを選択する操作入力を検出する。具体的には、例えば、検出部１６０５が、ディスプレイ１１０に表示された階層１に属するノードＮ１〜Ｎ３が表す項目Ｃ１〜Ｃ３のいずれかの項目Ｃｉを選択する操作入力を検出する。
【０１７０】
また、表示制御部１６０４は、いずれかの項目Ｃｉを選択する操作入力が検出された場合、項目Ｃｉを表すノードＮｉの子ノードが表す項目の項目内容をディスプレイ１１０に表示する。具体的には、例えば、項目Ｃ１を選択する操作入力が検出された場合、表示制御部１６０４が、項目Ｃ１を表すノードＮ１の子ノードＮ４〜Ｎ５が表す項目Ｃ４〜Ｃ５の項目内容をディスプレイ１１０に表示する。
【０１７１】
指示部１６０６は、木構造２６００の葉ノードが表す項目を選択する操作入力が検出された場合、カメラ３０３に対して撮影指示を出力する。ここで、葉ノードとは、子ノードを持たないノードである。例えば、ノードＮ７を葉ノードとすると、ノードＮ７が表す項目Ｃ７を選択する操作入力が検出された場合、指示部１６０６が、カメラ３０３に対して撮影指示を出力する。
【０１７２】
このように、項目群Ｃ１〜Ｃｎを階層構造化することにより、ディスプレイ１１０に一度に表示する項目の項目内容を制限することができる。また、作業者Ｗによる項目Ｃｉを選択する操作入力が行われるごとに、ディスプレイ１１０に表示する項目の項目内容を詳細化していくことにより、作業者Ｗの撮影意図を絞り込むことができる。
【０１７３】
（携帯装置１０１の作業支援処理手順）
つぎに、実施の形態３にかかる携帯装置１０１の作業支援処理手順について説明する。図２７は、実施の形態３にかかる携帯装置の作業支援処理手順の一例を示すフローチャートである。
【０１７４】
図２７のフローチャートにおいて、まず、携帯装置１０１により、カメラ３０３の起動指示を受け付けたか否かを判断する（ステップＳ２７０１）。ここで、携帯装置１０１により、カメラ３０３の起動指示を受け付けるのを待つ（ステップＳ２７０１：Ｎｏ）。
【０１７５】
そして、カメラ３０３の起動指示が受け付けられた場合（ステップＳ２７０１：Ｙｅｓ）、表示制御部１６０４により、木構造２６００の階層ｈの「ｈ」を「ｈ＝１」とする（ステップＳ２７０２）。つぎに、表示制御部１６０４により、木構造２６００の階層ｈに属する各々のノードが表す項目の項目内容をディスプレイ１１０に表示する（ステップＳ２７０３）。
【０１７６】
このあと、検出部１６０５により、ディスプレイ１１０に表示された階層ｈに属する各々のノードが表す項目のいずれかの項目Ｃｉを選択する操作入力を検出したか否かを判断する（ステップＳ２７０４）。ここで、検出部１６０５により、項目Ｃｉを選択する操作入力を検出するのを待って（ステップＳ２７０４：Ｎｏ）、操作入力を検出した場合（ステップＳ２７０４：Ｙｅｓ）、項目Ｃｉを表すノードＮｉが葉ノードか否かを判断する（ステップＳ２７０５）。
【０１７７】
ここで、項目Ｃｉを表すノードＮｉが葉ノードではない場合（ステップＳ２７０５：Ｎｏ）、表示制御部１６０４により、木構造２６００の階層ｈの「ｈ」をインクリメントして（ステップＳ２７０６）、ステップＳ２７０３に戻る。一方、項目Ｃｉを表すノードＮｉが葉ノードである場合（ステップＳ２７０５：Ｙｅｓ）、指示部１６０６により、カメラ３０３に対して撮影指示を出力する（ステップＳ２７０７）。
【０１７８】
つぎに、関連付け部１６０７により、カメラ３０３により撮影された撮影画像と、選択された項目Ｃｉの項目内容とを関連付ける（ステップＳ２７０８）。そして、出力部１６０８により、関連付けられた関連付け結果を出力して（ステップＳ２７０９）、本フローチャートによる一連の処理を終了する。
【０１７９】
これにより、木構造２６００の階層ｈごとに、階層ｈに属する各々のノードが表す項目の項目内容をディスプレイ１１０に表示することができ、ディスプレイ１１０に一度に表示する項目の項目内容を制限することができる。
【０１８０】
（携帯装置１０１のディスプレイ１１０の画面例）
つぎに、携帯装置１０１のディスプレイ１１０の画面例について説明する。図２８〜図３０は、実施の形態３にかかる携帯装置のディスプレイの画面例を示す説明図である。
【０１８１】
図２８において、携帯装置１０１のディスプレイ１１０には、被写体とともに項目Ｃ１〜Ｃ３の項目内容「農作業」、「農作物」および「その他」が表示されている（図２８中（ｉ））。
【０１８２】
図２８において、項目Ｃ２を選択する操作入力が検出された結果（図２８中（ｉｉ））、携帯装置１０１のディスプレイ１１０には、被写体とともに項目Ｃ４〜Ｃ６の項目内容「病害虫」、「生育不良」および「鳥獣害」が表示されている（図２８中（ｉｉｉ））。すなわち、項目Ｃ２を表すノードＮ２は、葉ノードではない。
【０１８３】
図２９において、項目Ｃ５を選択する操作入力が検出された結果（図２９中（ｉｖ））、携帯装置１０１のディスプレイ１１０には、被写体とともに項目Ｃ７〜Ｃ９の項目内容「草丈が短い」、「茎数が少ない」および「稲が倒伏」が表示されている（図２９中（ｖ））。すなわち、項目Ｃ５を表すノードＮ５は、葉ノードではない。
【０１８４】
図３０において、項目Ｃ８を選択する操作入力が検出された結果、カメラ３０３により撮影画像Ｐ４が撮影されている（図３０中（ｖｉ））。すなわち、項目Ｃ８を表すノードＮ８は、葉ノードである。
【０１８５】
図３０において、ディスプレイ１１０には、カメラ３０３により撮影された撮影画像Ｐ４と、携帯装置１０１を使用している作業者Ｗの撮影意図を表す項目Ｃ８の項目内容「茎数が少ない」とが関連付けて表示されている（図３０中（ｖｉｉ））。
【０１８６】
なお、図２８の（ｉ）において、項目Ｃ３を選択する操作入力が検出された場合、カメラ３０３により撮影画像Ｐ４が撮影されることになる。すなわち、項目Ｃ３を表すノードＮ３は、葉ノードである。
【０１８７】
以上説明した、実施の形態３にかかる携帯装置１０１によれば、項目群Ｃ１〜Ｃｎを階層構造化した木構造２６００の階層ｈごとに、階層ｈに属する各々のノードが表す項目の項目内容をディスプレイ１１０に表示することができる。これにより、ディスプレイ１１０に一度に表示する項目の項目内容を制限することができる。
【０１８８】
また、実施の形態３にかかる携帯装置１０１によれば、作業者Ｗによる項目Ｃｉを選択する操作入力が行われるごとに、階層間を遷移してディスプレイ１１０に表示する項目の項目内容を切り替えることができる。また、携帯装置１０１によれば、作業者Ｗによる項目Ｃｉを選択する操作入力が行われるごとに、ディスプレイ１１０に表示する項目の項目内容を詳細化していくことができる。
【０１８９】
これらのことから、実施の形態３にかかる携帯装置１０１によれば、ディスプレイ１１０に一度に表示する項目の項目内容を制限しつつ、撮影意図となり得るより多くの選択肢を作業者Ｗに提示することができる。
【０１９０】
なお、本実施の形態で説明した作業支援方法、情報提供方法は、予め用意されたプログラムをパーソナル・コンピュータやワークステーション等のコンピュータで実行することにより実現することができる。本作業支援プログラム、情報提供プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本作業支援プログラム、情報提供プログラムは、インターネット等のネットワークを介して配布してもよい。
【符号の説明】
【０１９１】
１０１  携帯装置
２００  作業支援システム
２０１  情報提供装置
２２０  圃場ＤＢ
７０１  受信部
７０２  検索部
７０３  抽出部
７０４  送信部
１６０１  取得部
１６０２  通信部
１６０３  設定部
１６０４  表示制御部
１６０５  検出部
１６０６  指示部
１６０７  関連付け部
１６０８  出力部
【図１】
2012124066.tif 000003
【図２】
2012124066.tif 000004
【図３】
2012124066.tif 000005
【図４】
2012124066.tif 000006
【図５】
2012124066.tif 000007
【図６】
2012124066.tif 000008
【図７】
2012124066.tif 000009
【図８】
2012124066.tif 000010
【図９】
2012124066.tif 000011
【図１０】
2012124066.tif 000012
【図１１】
2012124066.tif 000013
【図１２】
2012124066.tif 000014
【図１３】
2012124066.tif 000015
【図１４】
2012124066.tif 000016
【図１５】
2012124066.tif 000017
【図１６】
2012124066.tif 000018
【図１７】
2012124066.tif 000019
【図１８】
2012124066.tif 000020
【図１９】
2012124066.tif 000021
【図２０】
2012124066.tif 000022
【図２１】
2012124066.tif 000023
【図２２】
2012124066.tif 000024
【図２３】
2012124066.tif 000025
【図２４】
2012124066.tif 000026
【図２５】
2012124066.tif 000027
【図２６】
2012124066.tif 000028
【図２７】
2012124066.tif 000029
【図２８】
2012124066.tif 000030
【図２９】
2012124066.tif 000031
【図３０】
2012124066.tif 000032
【手続補正書】
【提出日】平成25年9月13日(2013.9.13)
【手続補正１】
【補正対象書類名】特許請求の範囲
【補正対象項目名】全文
【補正方法】変更
【補正の内容】
【特許請求の範囲】
【請求項１】
被写体を撮影する撮影部と、
農作業に従事する者による撮影の動機付けとなり得る対象物または事象を表す項目群のいずれかの項目を選択する操作入力を検出する検出部と、
前記検出部によって前記操作入力が検出された場合、前記撮影部に対して撮影指示を出力する指示部と、
前記指示部によって前記撮影指示が出力された結果、前記撮影部によって撮影された撮影画像と、前記検出部によって検出された前記項目とを関連付ける関連付け部と、
前記関連付け部によって関連付けられた関連付け結果を出力する出力部と、
を備えることを特徴とする携帯装置。
【請求項２】
自装置の位置情報を取得する取得部と、
前記対象物または前記事象を表す項目群の各々の項目の項目内容を表示する表示部と、
前記取得部によって取得された前記自装置の位置情報から特定される前記自装置の近傍に存在する圃場を特徴付ける情報を、前記項目の項目内容に設定する設定部と、をさらに備えることを特徴とする請求項１に記載の携帯装置。
【請求項３】
前記設定部は、
前記自装置の近傍に存在する圃場で栽培されている作物を特徴付ける情報を、前記項目の項目内容に設定することを特徴とする請求項２に記載の携帯装置。
【請求項４】
前記設定部は、
前記自装置の近傍に存在する圃場で行われる農作業の作業内容を特徴付ける情報を、前記項目の項目内容に設定することを特徴とする請求項２乃至３のいずれか一つに記載の携帯装置。
【請求項５】
各地に点在する圃場群の各々の圃場の位置情報を有する情報提供装置に、前記取得部によって取得された前記自装置の位置情報を送信する送信部と、
前記送信部によって前記自装置の位置情報が送信された結果、前記自装置の近傍に存在する圃場を特徴付ける情報を前記情報提供装置から受信する受信部と、をさらに備え、
前記設定部は、
前記受信部によって受信された前記圃場を特徴付ける情報を、前記項目の項目内容に設定することを特徴とする請求項２乃至４のいずれか一つに記載の携帯装置。
【請求項６】
前記受信部は、
前記自装置の位置情報が送信された結果、前記自装置の近傍に存在する圃場で栽培されている作物を特徴付ける情報を前記情報提供装置から受信し、
前記設定部は、
前記受信部によって受信された前記圃場で栽培されている作物を特徴付ける情報を、前記項目の項目内容に設定することを特徴とする請求項５に記載の携帯装置。
【請求項７】
前記受信部は、
前記自装置の位置情報が送信された結果、前記自装置の近傍に存在する圃場で行われる農作業の作業内容を特徴付ける情報を前記情報提供装置から受信し、
前記設定部は、
前記受信部によって受信された前記圃場で行われる農作業の作業内容を特徴付ける情報を、前記項目の項目内容に設定することを特徴とする請求項５乃至６のいずれか一つに記載の携帯装置。
【請求項８】
前記受信部は、
前記自装置の位置情報が送信された結果、前記自装置の近傍に存在する圃場で栽培されている作物に有害な作用を及ぼす前記作物に特有の害虫を特徴付ける情報を前記情報提供装置から受信し、
前記設定部は、
前記受信部によって受信された前記作物に有害な作用を及ぼす前記作物に特有の害虫を特徴付ける情報を、前記項目の項目内容に設定することを特徴とする請求項５乃至７のいずれか一つに記載の携帯装置。
【請求項９】
前記受信部は、
前記自装置の位置情報が送信された結果、前記自装置の近傍に存在する圃場で栽培されている作物に有害な作用を及ぼす前記作物に特有の病気を特徴付ける情報を前記情報提供装置から受信し、
前記設定部は、
前記受信部によって受信された前記作物に有害な作用を及ぼす前記作物に特有の病気を特徴付ける情報を、前記項目の項目内容に設定することを特徴とする請求項５乃至８のいずれか一つに記載の携帯装置。
【請求項１０】
前記送信部は、
前記自装置を使用する作業者の識別情報を前記情報提供装置に送信し、
前記受信部は、
前記作業者の識別情報が送信された結果、前記作業者が行う農作業の作業内容を特徴付ける情報を前記情報提供装置から受信し、
前記設定部は、
前記受信部によって受信された前記作業者が行う農作業の作業内容を特徴付ける情報を、前記項目の項目内容に設定することを特徴とする請求項５乃至９のいずれか一つに記載の携帯装置。
【請求項１１】
前記表示部を制御して、前記対象物または前記事象を表す項目をノードとして階層構造化された木構造のいずれかの階層に属する各々のノードが表す項目の項目内容を表示する表示制御部をさらに備え、
前記検出部は、
前記表示部によって表示された前記階層に属する各々のノードが表す項目のいずれかの項目を選択する操作入力を検出し、
前記表示制御部は、
前記検出部によって前記操作入力が検出された場合、前記表示部を制御して、前記いずれかの項目を表すノードの子ノードが表す項目の項目内容を表示し、
前記指示部は、
前記検出部によって前記木構造の葉ノードが表す項目を選択する操作入力が検出された場合、前記撮影部に対して撮影指示を出力することを特徴とする請求項２乃至１０のいずれか一つに記載の携帯装置。
【請求項１２】
農作業に従事する者による撮影の動機付けとなり得る対象物または事象を表す項目群のいずれかの項目を選択する操作入力を検出する検出工程と、
前記検出工程によって前記操作入力が検出された場合、被写体を撮影する撮影部に対して撮影指示を出力する指示工程と、
前記指示工程によって前記撮影指示が出力された結果、前記撮影部によって撮影された撮影画像と、前記検出工程によって検出された前記項目とを関連付ける関連付け工程と、
前記関連付け工程によって関連付けられた関連付け結果を出力する出力工程と、
をコンピュータに実行させることを特徴とする作業支援プログラム。
【請求項１３】
携帯装置から前記携帯装置の位置情報を受信する受信工程と、
各地に点在する圃場群の各々の圃場の位置情報と、前記受信工程によって受信された前記携帯装置の位置情報とに基づいて、前記圃場群の中から圃場を検索する検索工程と、
前記検索工程によって検索された前記圃場を特徴付ける情報を、前記圃場を撮影する農作業に従事する者による撮影の動機付けとなり得る対象物または事象を表す情報として、前記携帯装置に送信する送信工程と、
をコンピュータが実行することを特徴とする情報提供方法。
【請求項１４】
前記コンピュータが、
前記各々の圃場で栽培されている作物を特徴付ける情報を記憶するデータベースの中から、前記検索工程によって検索された前記圃場で栽培されている作物を特徴付ける情報を抽出する抽出工程をさらに実行し、
前記送信工程は、
前記対象物または前記事象を表す情報として、前記抽出工程によって抽出された前記圃場で栽培されている作物を特徴付ける情報を前記携帯装置に送信することを特徴とする請求項１３に記載の情報提供方法。
【請求項１５】
前記データベースは、前記各々の圃場で行われる農作業の作業内容を特徴付ける情報を記憶しており、
前記抽出工程は、
前記データベースの中から、前記検索工程によって検索された前記圃場で行われる農作業の作業内容を特徴付ける情報を抽出し、
前記送信工程は、
前記対象物または前記事象を表す情報として、前記圃場で行われる農作業の作業内容を特徴付ける情報を前記携帯装置に送信することを特徴とする請求項１４に記載の情報提供方法。
【請求項１６】
前記データベースは、作物と前記作物に有害な作用を及ぼす前記作物に特有の害虫を特徴付ける情報とを関連付けて記憶しており、
前記抽出工程は、
前記データベースの中から、前記抽出工程によって抽出された前記圃場で栽培されている作物に有害な作用を及ぼす前記作物に特有の害虫を特徴付ける情報を抽出し、
前記送信工程は、
前記対象物または前記事象を表す情報として、前記作物に有害な作用を及ぼす前記作物に特有の害虫を特徴付ける情報を前記携帯装置に送信することを特徴とする請求項１４乃至１５のいずれか一つに記載の情報提供方法。
【請求項１７】
前記データベースは、作物と前記作物に有害な作用を及ぼす前記作物に特有の病気を特徴付ける情報とを関連付けて記憶しており、
前記抽出工程は、
前記データベースの中から、前記抽出工程によって抽出された前記圃場で栽培されている作物に有害な作用を及ぼす前記作物に特有の病気を特徴付ける情報を抽出し、
前記送信工程は、
前記対象物または前記事象を表す情報として、前記作物に有害な作用を及ぼす前記作物に特有の病気を特徴付ける情報を前記携帯装置に送信することを特徴とする請求項１４乃至１６のいずれか一つに記載の情報提供方法。
【請求項１８】
前記データベースは、作業者の識別情報と前記作業者が行う農作業の作業内容を特徴付ける情報とを関連付けて記憶しており、
前記受信工程は、
前記携帯装置を使用する作業者の識別情報を前記携帯装置から受信し、
前記抽出工程は、
前記データベースの中から、前記受信工程によって受信された前記携帯装置を使用する作業者の識別情報と関連付けて記憶されている前記携帯装置を使用する作業者が行う農作業の作業内容を特徴付ける情報を抽出し、
前記送信工程は、
前記対象物または前記事象を表す情報として、前記携帯装置を使用する作業者が行う農作業の作業内容を特徴付ける情報を前記携帯装置に送信することを特徴とする請求項１４乃至１７のいずれか一つに記載の情報提供方法。
【請求項１９】
携帯装置から前記携帯装置の位置情報を受信する受信工程と、
各地に点在する圃場群の各々の圃場の位置情報と、前記受信工程によって受信された前記携帯装置の位置情報とに基づいて、前記圃場群の中から圃場を検索する検索工程と、
前記検索工程によって検索された前記圃場を特徴付ける情報を、前記圃場を撮影する農作業に従事する者による撮影の動機付けとなり得る対象物または事象を表す情報として、前記携帯装置に送信する送信工程と、
をコンピュータに実行させることを特徴とする情報提供プログラム。
【手続補正２】
【補正対象書類名】明細書
【補正対象項目名】全文
【補正方法】変更
【補正の内容】
【発明の詳細な説明】
【技術分野】
【０００１】
本発明は、作業を支援する携帯装置、作業支援プログラム、情報提供方法および情報提供プログラムに関する。
【背景技術】
【０００２】
従来から、農作業に従事する者の間で情報を共有することが行われている。例えば、現場で撮影された圃場の画像を共有することにより、圃場の状況、作物の生育状況、病害虫の発生状況などを複数のユーザが確認することができる。
【０００３】
関連する先行技術としては、シャッターボタンが押下されたことに応答して、現在の位置を取得し、画像データと現在の位置を記録メディアに記録するものがある。また、農作業日誌データベースを参照して、作業者が所持する端末の位置情報から作業者および圃場を特定し、作業者が実施すべき作業項目を絞り込む技術がある。また、画像情報を表示する画面に入力されたメモ書き情報と該画像情報とを対応付けて記憶媒体に記録する技術がある。
【先行技術文献】
【特許文献】
【０００４】
【特許文献１】特開２０１０−１０８９０号公報
【特許文献２】特開２００５−１２４５３８号公報
【特許文献３】特開平４−１５６７９１号公報
【発明の概要】
【発明が解決しようとする課題】
【０００５】
しかしながら、従来技術では、撮影された画像を見た人が、何の目的で撮影されたものなのかを判断しにくい場合があるという問題があった。例えば、害虫の発生を報告するために作物に付着した害虫を撮影した画像であっても、画像を見た人が、単に作物の生育状況を記録したものだと勘違いしてしまう場合があり、害虫被害の拡大を招くという問題がある。
【０００６】
また、農作業において、作業者は、例えば、手指を保護するために軍手を着用して作業を行うことが多いため、現場で撮影した画像に対してメモ入力するなどのコンピュータへの操作を行うことが難しいという問題があった。
【０００７】
本発明は、上述した従来技術による問題点を解消するため、撮影画像と撮影意図との関連付けを行うことができる携帯装置、作業支援プログラム、情報提供方法および情報提供プログラムを提供することを目的とする。
【課題を解決するための手段】
【０００８】
上述した課題を解決し、目的を達成するため、本発明の一側面によれば、農作業に従事する者による撮影の動機付けとなり得る対象物または事象を表す項目群のいずれかの項目を選択する操作入力を検出し、前記操作入力を検出した場合、被写体を撮影する撮影部に対して撮影指示を出力し、前記撮影指示を出力した結果、前記撮影部によって撮影された撮影画像と、検出した前記項目とを関連付け、関連付けた関連付け結果を出力する携帯装置および作業支援プログラムが提案される。
【０００９】
また、上述した課題を解決し、目的を達成するため、本発明の一側面によれば、携帯装置から前記携帯装置の位置情報を受信し、各地に点在する圃場群の各々の圃場の位置情報と、受信した前記携帯装置の位置情報とに基づいて、前記圃場群の中から圃場を検索し、検索した前記圃場を特徴付ける情報を、前記圃場を撮影する農作業に従事する者による撮影の動機付けとなり得る対象物または事象を表す情報として、前記携帯装置に送信する情報提供方法および情報提供プログラムが提案される。
【発明の効果】
【００１０】
本発明の一側面によれば、撮影画像と撮影意図との関連付けを行うことができるという効果を奏する。
【図面の簡単な説明】
【００１１】
【図１】図１は、実施の形態１にかかる携帯装置の作業支援処理の一実施例を示す説明図である。
【図２】図２は、実施の形態２にかかる作業支援システムのシステム構成例を示す説明図である。
【図３】図３は、実施の形態２にかかる携帯装置のハードウェア構成例を示すブロック図である。
【図４】図４は、実施の形態２にかかる情報提供装置のハードウェア構成例を示すブロック図である。
【図５】図５は、圃場ＤＢの記憶内容の一例を示す説明図である。
【図６】図６は、作業予定データの具体例を示す説明図である。
【図７】図７は、実施の形態２にかかる情報提供装置の機能的構成を示すブロック図である。
【図８】図８は、項目リストの記憶内容の一例を示す説明図（その１）である。
【図９】図９は、項目リストの記憶内容の一例を示す説明図（その２）である。
【図１０】図１０は、項目リストの記憶内容の一例を示す説明図（その３）である。
【図１１】図１１は、害虫リストの記憶内容の一例を示す説明図である。
【図１２】図１２は、項目リストの記憶内容の一例を示す説明図（その４）である。
【図１３】図１３は、病気リストの記憶内容の一例を示す説明図である。
【図１４】図１４は、項目リストの記憶内容の一例を示す説明図（その５）である。
【図１５】図１５は、作業予定テーブルの記憶内容の一例を示す説明図である。
【図１６】図１６は、実施の形態２にかかる携帯装置の機能的構成を示すブロック図である。
【図１７】図１７は、設定項目テーブルの記憶内容の一例を示す説明図である。
【図１８】図１８は、関連付け結果テーブル１８００の記憶内容の一例を示す説明図である。
【図１９】図１９は、実施の形態２にかかる情報提供装置の情報提供処理手順の一例を示すフローチャートである。
【図２０】図２０は、実施の形態２にかかる携帯装置の作業支援処理手順の一例を示すフローチャートである。
【図２１】図２１は、実施の形態２にかかる携帯装置のディスプレイの画面例を示す説明図（その１）である。
【図２２】図２２は、実施の形態２にかかる携帯装置のディスプレイの画面例を示す説明図（その２）である。
【図２３】図２３は、実施の形態２にかかる携帯装置のディスプレイの画面例を示す説明図（その３）である。
【図２４】図２４は、実施の形態２にかかる携帯装置のディスプレイの画面例を示す説明図（その４）である。
【図２５】図２５は、実施の形態２にかかる情報提供装置のディスプレイの画面例を示す説明図である。
【図２６】図２６は、木構造の一例を示す説明図である。
【図２７】図２７は、実施の形態３にかかる携帯装置の作業支援処理手順の一例を示すフローチャートである。
【図２８】図２８は、実施の形態３にかかる携帯装置のディスプレイの画面例を示す説明図（その１）である。
【図２９】図２９は、実施の形態３にかかる携帯装置のディスプレイの画面例を示す説明図（その２）である。
【図３０】図３０は、実施の形態３にかかる携帯装置のディスプレイの画面例を示す説明図（その３）である。
【発明を実施するための形態】
【００１２】
以下に添付図面を参照して、この発明にかかる携帯装置、作業支援プログラム、情報提供方法および情報提供プログラムの実施の形態を詳細に説明する。各実施の形態は、矛盾の無い範囲で組み合わせて実施することができる。
【００１３】
（実施の形態１）
図１は、実施の形態１にかかる携帯装置の作業支援処理の一実施例を示す説明図である。図１において、携帯装置１０１は、作業者Ｗが使用するコンピュータである。携帯装置１０１は、静止画や動画を撮影する機能を有する。
【００１４】
作業者Ｗは、農作業に従事する者である。作業者Ｗは、農作業の一環として圃場や作物を撮影する。ここで、圃場とは、作物を栽培、生育するための田畑、菜園などである。作物とは、例えば、田畑や菜園などで作られる穀類や野菜などの農作物である。圃場や作物を撮影する目的は、圃場の状態、作物の生育状況、病害虫の発生状況など様々である。
【００１５】
このため、同じ圃場を撮影した撮影画像であっても、何の目的で撮影されたものなのかによって、撮影画像の着目すべき点が異なる場合がある。そこで、実施の形態１では、撮影画像を見た人が、何の目的で撮影されたものなのかを判断し易くするために、撮影画像と撮影意図との関連付けを簡単な操作入力により行う手法について説明する。
【００１６】
以下、実施の形態１にかかる携帯装置１０１の作業支援処理手順の一実施例について説明する。ここでは、作業者Ｗが、圃場における害虫（アブラムシ）の発生状況を報告するために、キャベツに付着しているアブラムシを撮影する場合を例に挙げて説明する。
【００１７】
（１）携帯装置１０１は、農作業に従事する者の撮影意図を表す項目群のいずれかの項目を選択する操作入力を検出する。ここで、撮影意図を表す項目とは、撮影の動機付けとなり得る対象物（例えば、圃場、作物、害虫）または事象（例えば、病害虫の発生、生育不良）を表すものである。
【００１８】
撮影意図を表す項目は、例えば、文字、記号、図形、または、それらの組合せによって表現される。図１の例では、撮影意図を表す項目の一例として、病気の発生、害虫の発生、作物の生育不良を表す項目Ｃ１〜Ｃ３が、被写体とともにディスプレイ１１０に表示されている。作業者Ｗは、何を目的として被写体を撮影するのかに応じて、項目Ｃ１〜Ｃ３の中からいずれかの項目を選択する。
【００１９】
（２）携帯装置１０１は、項目群Ｃ１〜Ｃ３のいずれかの項目を選択する操作入力を検出した場合、ディスプレイ１１０に表示されている被写体を撮影する。すなわち、作業者Ｗによる項目を選択する操作入力と連動して被写体の撮影が行われる。図１の例では、作業者Ｗにより項目Ｃ２が選択された結果、圃場で栽培されているキャベツとキャベツに付着しているアブラムシとを含む撮影画像１１１が撮影されている。
【００２０】
（３）携帯装置１０１は、撮影した撮影画像１１１と、操作入力を検出した項目Ｃ２とを関連付けて出力する。具体的には、例えば、携帯装置１０１が、撮影画像１１１と項目Ｃ２とを関連付けてメモリ（例えば、後述の図３に示すメモリ３０２）に記録する。図１の例では、撮影画像１１１とともに項目Ｃ２の項目内容１１２（害虫）がディスプレイ１１０に表示されている。
【００２１】
以上説明したように、実施の形態１にかかる携帯装置１０１によれば、作業者Ｗによって撮影された撮影画像１１１と、作業者Ｗの撮影意図とを関連付けることができる。また、作業者Ｗによる項目Ｃ２を選択する操作入力と連動して被写体の撮影が行われるため、容易な操作で撮影画像１１１と撮影意図とを関連付けることができる。
【００２２】
また、撮影画像１１１の閲覧時には、撮影画像１１１とともに項目Ｃ２の項目内容１１２（害虫）が表示されるため、撮影画像１１１を見た人が、作業者Ｗの撮影意図を判断し易くなる。このため、圃場における害虫（アブラムシ）の発生状況を迅速に把握することが可能となり、害虫被害の拡大を抑えることができる。
【００２３】
（実施の形態２）
つぎに、実施の形態２にかかる作業支援システムについて説明する。なお、実施の形態１で説明した箇所と同一箇所については説明を省略する。
【００２４】
図２は、実施の形態２にかかる作業支援システムのシステム構成例を示す説明図である。図２において、作業支援システム２００は、複数の携帯装置１０１（図２では３台のみ表示）と、情報提供装置２０１とを含む。作業支援システム２００において、複数の携帯装置１０１と情報提供装置２０１は、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などのネットワーク２１０を介して接続されている。情報提供装置２０１と携帯装置１０１とを結ぶ通信回線は、無線でも有線でも構わない。
【００２５】
ここで、情報提供装置２０１は、圃場ＤＢ（データベース）２２０を備え、農作業に従事する各々の作業者Ｗの携帯装置１０１に情報を提供するコンピュータである。圃場ＤＢ２２０の記憶内容については、図５および図６を用いて後述する。また、情報提供装置２０１は、各々の作業者Ｗが使用する携帯装置１０１により撮影された撮影画像を一元的に管理する。情報提供装置２０１は、例えば、複数の作業者Ｗが出入りする事務所などに設置されている。
【００２６】
（携帯装置１０１のハードウェア構成例）
図３は、実施の形態２にかかる携帯装置のハードウェア構成例を示すブロック図である。図３において、携帯装置１０１は、ＣＰＵ（Ｃｅｎｔｒａｌ  Ｐｒｏｃｅｓｓｉｎｇ  Ｕｎｉｔ）３０１と、メモリ３０２と、カメラ３０３と、Ｉ／Ｆ（Ｉｎｔｅｒｆａｃｅ）３０４と、入力装置３０５と、ディスプレイ１１０と、を備えている。また、各構成部はバス３００によってそれぞれ接続されている。
【００２７】
ここで、ＣＰＵ３０１は、携帯装置１０１の全体の制御を司る。メモリ３０２は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを含む。ＲＯＭおよびフラッシュＲＯＭは、例えば、ブートプログラムなどの各種プログラムを記憶する。ＲＡＭは、ＣＰＵ３０１のワークエリアとして使用される。
【００２８】
カメラ３０３は、静止画または動画を撮影し、画像データとして出力する。カメラ３０３により撮影された撮影画像は、例えば、画像データとしてメモリ３０２に記録される。なお、カメラ３０３は、夜間での撮影を可能とする赤外線カメラであってもよい。
【００２９】
Ｉ／Ｆ３０４は、通信回線を通じてネットワーク２１０に接続され、ネットワーク２１０を介して他の装置（例えば、情報提供装置２０１）に接続される。そして、Ｉ／Ｆ３０４は、ネットワーク２１０と内部のインターフェースを司り、外部装置からのデータの入出力を制御する。
【００３０】
入力装置３０５は、データの入力を行う。入力装置３０５は、文字、数字、各種指示などの入力のためのキーを備えるものであってもよく、また、タッチパネル式の入力パッドやテンキーなどであってもよい。
【００３１】
ディスプレイ１１０は、カーソル、アイコンあるいはツールボックスをはじめ、文書、画像、機能情報などのデータを表示する。ディスプレイ１１０は、タッチパネル式の入力パッドやテンキーなどの入力装置３０５と組み合わせたものであってもよい。ディスプレイ１１０としては、例えば、ＴＦＴ液晶ディスプレイ、プラズマディスプレイなどを採用することができる。
【００３２】
（情報提供装置２０１のハードウェア構成例）
図４は、実施の形態２にかかる情報提供装置のハードウェア構成例を示すブロック図である。図４において、情報提供装置２０１は、ＣＰＵ４０１と、ＲＯＭ４０２と、ＲＡＭ４０３と、磁気ディスクドライブ４０４と、磁気ディスク４０５と、光ディスクドライブ４０６と、光ディスク４０７と、ディスプレイ４０８と、Ｉ／Ｆ４０９と、キーボード４１０と、マウス４１１と、スキャナ４１２と、プリンタ４１３と、を有している。また、各構成部はバス４００によってそれぞれ接続されている。
【００３３】
ここで、ＣＰＵ４０１は、情報提供装置２０１の全体の制御を司る。ＲＯＭ４０２は、ブートプログラムなどのプログラムを記憶している。ＲＡＭ４０３は、ＣＰＵ４０１のワークエリアとして使用される。磁気ディスクドライブ４０４は、ＣＰＵ４０１の制御にしたがって磁気ディスク４０５に対するデータのリード／ライトを制御する。磁気ディスク４０５は、磁気ディスクドライブ４０４の制御で書き込まれたデータを記憶する。
【００３４】
光ディスクドライブ４０６は、ＣＰＵ４０１の制御にしたがって光ディスク４０７に対するデータのリード／ライトを制御する。光ディスク４０７は、光ディスクドライブ４０６の制御で書き込まれたデータを記憶したり、光ディスク４０７に記憶されたデータをコンピュータに読み取らせたりする。
【００３５】
ディスプレイ４０８は、カーソル、アイコンあるいはツールボックスをはじめ、文書、画像、機能情報などのデータを表示する。ディスプレイ４０８としては、例えば、ＣＲＴ、ＴＦＴ液晶ディスプレイ、プラズマディスプレイなどを採用することができる。
【００３６】
Ｉ／Ｆ４０９は、通信回線を通じてネットワーク２１０に接続され、ネットワーク２１０を介して他の装置（例えば、携帯装置１０１）に接続される。そして、Ｉ／Ｆ４０９は、ネットワーク２１０と内部のインターフェースを司り、外部装置からのデータの入出力を制御する。Ｉ／Ｆ４０９には、例えば、モデムやＬＡＮアダプタなどを採用することができる。
【００３７】
キーボード４１０は、文字、数字、各種指示などの入力のためのキーを備え、データの入力を行う。また、タッチパネル式の入力パッドやテンキーなどであってもよい。マウス４１１は、カーソルの移動や範囲選択、あるいはウィンドウの移動やサイズの変更などを行う。ポインティングデバイスとして同様に機能を備えるものであれば、トラックボールやジョイスティックなどであってもよい。
【００３８】
スキャナ４１２は、画像を光学的に読み取り、情報提供装置２０１内に画像データを取り込む。なお、スキャナ４１２は、ＯＣＲ（Ｏｐｔｉｃａｌ  Ｃｈａｒａｃｔｅｒ  Ｒｅａｄｅｒ）機能を持たせてもよい。また、プリンタ４１３は、画像データや文書データを印刷する。プリンタ４１３には、例えば、レーザプリンタやインクジェットプリンタを採用することができる。なお、情報提供装置２０１は、光ディスクドライブ４０６やスキャナ４１２やプリンタ４１３を有していなくても構わない。
【００３９】
（圃場ＤＢ２２０の記憶内容）
つぎに、情報提供装置２０１が備える圃場ＤＢ２２０の記憶内容について説明する。圃場ＤＢ２２０は、例えば、図４に示した情報提供装置２０１のＲＡＭ４０３、磁気ディスク４０５、光ディスク４０７などの記憶装置により実現される。
【００４０】
図５は、圃場ＤＢの記憶内容の一例を示す説明図である。図５において、圃場ＤＢ２２０は、圃場ＩＤ、圃場名、品目、品種、作型、生育ステージ、圃場位置および作業予定データのフィールドを有する。各フィールドに情報を設定することで、圃場Ｆ１〜Ｆｍの圃場データ５００−１〜５００−ｍがレコードとして記憶されている。
【００４１】
ここで、圃場ＩＤは、各地に点在する圃場Ｆ１〜Ｆｍの識別子である。以下、圃場Ｆ１〜Ｆｍのうち任意の圃場を「圃場Ｆｊ」と表記する（ｊ＝１，２，…，ｍ）。圃場名は、圃場Ｆｊの名称である。品目は、圃場Ｆｊで栽培されている作物の種類である。品目としては、例えば、水稲、キャベツ、ニンジンなどがある。
【００４２】
品種は、同一品目の中の種類である。品種としては、例えば、コシヒカリ（稲）、ひとめぼれ（稲）、秋冬キャベツ（キャベツ）、冬キャベツ（キャベツ）、春キャベツ（キャベツ）などがある。作型は、作物の栽培を行うときの条件や技術の組合せを示す体系である。作型としては、例えば、直播、田植え、春まき栽培、夏まき栽培、秋まき栽培、冬まき栽培などがある。
【００４３】
生育ステージは、圃場Ｆｊで栽培されている作物の生育段階を示すものである。生育ステージとしては、例えば、播種期、出穂期、生育期、成熟期、収穫期などがある。圃場位置は、圃場Ｆｊの位置を示す情報である。ここでは、圃場位置として、地図上にマッピングされた圃場Ｆｊの重心位置が示されている。地図とは、圃場群Ｆ１〜Ｆｍを一定の割合で縮小して、Ｘ軸とＹ軸とからなる座標平面上に表した図面データである。作業予定データは、圃場Ｆｊで行われる農作業の作業予定を示す情報である。作業予定データについての詳細な説明は、図６を用いて後述する。
【００４４】
圃場データ５００−１を例に挙げると、圃場Ｆ１の圃場名「圃場Ａ」、品目「キャベツ」、品種「秋冬キャベツ」、作型「秋まき」、生育ステージ「播種期」および圃場位置「Ｘ１，Ｙ１」が示されている。また、圃場データ５００−１には作業予定データＷ１が設定されている。ここで、圃場Ｆ１の作業予定データＷ１を例に挙げて、作業予定データＷｊの具体例について説明する。
【００４５】
図６は、作業予定データの具体例を示す説明図である。図６において、作業予定データＷ１は、圃場ＩＤ、作業予定日、作業予定時刻、作業内容および作業者のフィールドを有する。各フィールドの情報を設定することで、作業予定データ（例えば、作業予定データ６００−１〜６００−５）がレコードとして記憶されている。
【００４６】
圃場ＩＤは、圃場Ｆｊの識別子である。作業予定日は、圃場Ｆｊで農作業が行われる予定の年月日である。作業予定時刻は、圃場Ｆｊで農作業が行われる予定の時刻である。作業内容は、圃場Ｆｊで行われる農作業の内容である。作業内容としては、例えば、除草、見回り、葉切り、耕運、定植、肥料散布、農薬散布、収穫などがある。作業者は、圃場Ｆｊで行われる農作業の作業者を一意に特定可能な情報である。
【００４７】
作業予定データ６００−１を例に挙げると、作業予定日「２０１１／０１／０８」および作業予定時刻「１４：００−１４：０５」に圃場Ｆ１で行われる予定の農作業の作業内容「見回り」および作業者「作業者Ａ」が示されている。
【００４８】
（情報提供装置２０１の機能的構成例）
つぎに、実施の形態２にかかる情報提供装置２０１の機能的構成例について説明する。図７は、実施の形態２にかかる情報提供装置の機能的構成を示すブロック図である。図７において、情報提供装置２０１は、受信部７０１と、検索部７０２と、抽出部７０３と、送信部７０４と、を含む構成である。この制御部となる機能（受信部７０１〜送信部７０４）は、具体的には、例えば、図４に示したＲＯＭ４０２、ＲＡＭ４０３、磁気ディスク４０５、光ディスク４０７などの記憶装置に記憶されたプログラムをＣＰＵ４０１に実行させることにより、または、Ｉ／Ｆ４０９により、その機能を実現する。各機能部の処理結果は、例えば、ＲＡＭ４０３、磁気ディスク４０５、光ディスク４０７などの記憶装置に記憶される。
【００４９】
受信部７０１は、作業者Ｗが使用している携帯装置１０１から、携帯装置１０１の位置情報を受信する機能を有する。なお、受信された携帯装置１０１の位置情報には、例えば、受信された時点を示す情報（例えば、日時）がタイムスタンプとして付与されることにしてもよい。
【００５０】
検索部７０２は、圃場ＤＢ２２０内の圃場Ｆ１〜Ｆｍの圃場位置Ｌ１〜Ｌｍと、受信された携帯装置１０１の位置情報とに基づいて、圃場Ｆ１〜Ｆｍの中から圃場Ｆｊを検索する機能を有する。具体的には、例えば、まず、検索部７０２が、各圃場Ｆ１〜Ｆｍの圃場位置Ｌ１〜Ｌｍと、携帯装置１０１の位置情報が示す座標位置との距離ｄ１〜ｄｍを算出する。
【００５１】
そして、検索部７０２が、例えば、圃場Ｆ１〜Ｆｍの中から距離ｄｊが最短となる圃場Ｆｊを検索する。また、検索部７０２が、圃場Ｆ１〜Ｆｍの中から距離ｄｊが所定距離（例えば、５〜１０［ｍ］）以下となる圃場ｄｊを検索することにしてもよい。また、検索部７０２が、圃場Ｆ１〜Ｆｍの中から、距離ｄｊが短い上位複数個（例えば、３個）の圃場を検索することにしてもよい。
【００５２】
これにより、圃場Ｆ１〜Ｆｍの中から携帯装置１０１の近傍に存在する圃場Ｆｊを特定することができる。以下、検索された圃場Ｆｊを「特定圃場Ｆ」という。
【００５３】
抽出部７０３は、圃場ＤＢ２２０の中から、検索された特定圃場Ｆを特徴付ける情報を抽出する機能を有する。具体的には、例えば、抽出部７０３が、圃場ＤＢ２２０の中から、特定圃場Ｆの圃場名を抽出する。抽出された抽出結果は、例えば、記憶装置内の項目リストＬＴに登録される。
【００５４】
ここで、項目リストＬＴの記憶内容について説明する。ここでは、特定圃場Ｆとして、圃場Ｆ１〜Ｆｍの中から圃場Ｆ１，Ｆ２，Ｆ３が検索された場合を例に挙げて説明する。
【００５５】
図８は、項目リストの記憶内容の一例を示す説明図（その１）である。図８において、項目リストＬＴは、項目ＩＤおよび項目内容のフィールドを有する。各フィールドに情報を設定することで、項目データ８００−１〜８００−３がレコードとして記憶されている。なお、項目ＩＤは、項目の識別子である。
【００５６】
ここで、項目データ８００−１は、項目Ｃ１の項目内容「圃場Ａ」を示している。項目データ８００−２は、項目Ｃ２の項目内容「圃場Ｂ」を示している。項目データ８００−３は、項目Ｃ３の項目内容「圃場Ｃ」を示している。すなわち、各項目Ｃ１〜Ｃ３の項目内容は、携帯装置１０１の近傍に存在する圃場Ｆ１〜Ｆ３の圃場名（圃場Ａ，圃場Ｂ，圃場Ｃ）を示している。
【００５７】
送信部７０４は、特定圃場Ｆを撮影する農作業に従事する者の撮影意図を表す情報として、特定圃場Ｆを特徴付ける情報を携帯装置１０１に送信する機能を有する。具体的には、例えば、送信部７０４が、図８に示した項目リストＬＴを携帯装置１０１に送信する。これにより、携帯装置１０１の近傍に存在する特定圃場Ｆの圃場名を、撮影意図を表す情報として携帯装置１０１に提供することができる。
【００５８】
また、抽出部７０３は、圃場ＤＢ２２０の中から、特定圃場Ｆで栽培されている作物を特徴付ける情報を抽出する機能を有する。具体的には、例えば、抽出部７０３が、圃場ＤＢ２２０の中から、特定圃場Ｆで栽培されている作物の品目、品種および作型の少なくともいずれかの情報を抽出する。抽出された抽出結果は、例えば、記憶装置内の項目リストＬＴに登録される。
【００５９】
ここで、項目リストＬＴの記憶内容について説明する。ここでは、上記同様に、特定圃場Ｆとして、圃場Ｆ１〜Ｆｍの中から圃場Ｆ１，Ｆ２，Ｆ３が検索された場合を例に挙げて説明する。
【００６０】
図９は、項目リストの記憶内容の一例を示す説明図（その２）である。図９において、項目リストＬＴは、項目データ９００−１〜９００−３を記憶している。
【００６１】
ここで、項目データ９００−１は、項目Ｃ１の項目内容「キャベツ」を示している。項目データ９００−２は、項目Ｃ２の項目内容「水稲」を示している。項目データ９００−３は、項目Ｃ３の項目内容「ニンジン」を示している。すなわち、各項目Ｃ１〜Ｃ３の項目内容は、携帯装置１０１の近傍に存在する圃場Ｆ１〜Ｆ３で栽培されている作物の品目（キャベツ、水稲、ニンジン）を示している。
【００６２】
送信部７０４は、特定圃場Ｆを撮影する農作業に従事する者の撮影意図を表す情報として、特定圃場Ｆで栽培されている作物を特徴付ける情報を携帯装置１０１に送信する機能を有する。具体的には、例えば、送信部７０４が、図９に示した項目リストＬＴを携帯装置１０１に送信する。これにより、携帯装置１０１の近傍に存在する特定圃場Ｆで栽培されている作物の品目を、撮影意図を表す情報の候補として携帯装置１０１に提供することができる。
【００６３】
また、抽出部７０３は、圃場ＤＢ２２０の中から、特定圃場Ｆで行われる農作業の作業内容を特徴付ける情報を抽出する機能を有する。具体的には、例えば、抽出部７０３が、圃場ＤＢ２２０の中から、携帯装置１０１の位置情報が受信された日（または、日時）に、特定圃場Ｆで行われる予定の農作業の作業内容を抽出する。
【００６４】
ここで、携帯装置１０１の位置情報が受信された日を「２０１０／１０／１４」とし、また、特定圃場Ｆとして、圃場Ｆ１〜Ｆｍの中から圃場Ｆ１が検索された場合を想定する。この場合、抽出部７０３が、図６に示した作業予定データＷ１の中から、作業予定日「２０１０／１０／１４」に圃場Ｆ１で行われる農作業の作業内容「収穫」および「耕運」を抽出する。抽出された抽出結果は、例えば、記憶装置内の項目リストＬＴに登録される。
【００６５】
図１０は、項目リストの記憶内容の一例を示す説明図（その３）である。図１０において、項目リストＬＴは、項目データ１０００−１，１０００−２を記憶している。
【００６６】
ここで、項目データ１０００−１は、項目Ｃ１の項目内容「収穫」を示している。項目データ１０００−２は、項目Ｃ２の項目内容「耕運」を示している。すなわち、各項目Ｃ１，Ｃ２の項目内容は、携帯装置１０１の近傍に存在する圃場Ｆ１で行われる農作業の作業内容（収穫、耕運）を示している。
【００６７】
送信部７０４は、特定圃場Ｆを撮影する農作業に従事する者の撮影意図を表す情報として、特定圃場Ｆで行われる農作業の作業内容を特徴付ける情報を携帯装置１０１に送信する機能を有する。具体的には、例えば、送信部７０４が、図１０に示した項目リストＬＴを携帯装置１０１に送信する。これにより、携帯装置１０１の近傍に存在する特定圃場Ｆで行われる予定の農作業の作業内容を、撮影意図を表す情報の候補として携帯装置１０１に提供することができる。
【００６８】
また、抽出部７０３は、作物と該作物に有害な作用を及ぼす作物特有の害虫とを関連付けて記憶する害虫リストの中から、特定圃場Ｆで栽培されている作物特有の害虫を特徴付ける情報を抽出する機能を有する。ここで、害虫リストの記憶内容について説明する。
【００６９】
図１１は、害虫リストの記憶内容の一例を示す説明図である。図１１において、害虫リスト１１００は、作物名および害虫名のフィールドを有し、各フィールドに情報を設定することで、害虫データ（例えば、害虫データ１１００−１〜１１００−４）をレコードとして記憶している。
【００７０】
作物名は、作物の名称（品目）である。害虫名は、作物に有害な作用を及ぼす作物特有の害虫の名称である。害虫データ１１００−１を例に挙げると、作物「水稲」に有害な作用を及ぼす作物特有の害虫名「ニカメイガ」、「イチモンジセセリ」および「トビイロウンカ」が示されている。また、害虫データ１１００−２を例に挙げると、作物「ナス」に有害な作用を及ぼす作物特有の害虫名「ミナミキイロアザミウマ」および「オオタバコガ」が示されている。害虫リスト１１００は、例えば、図４に示した情報提供装置２０１のＲＡＭ４０３、磁気ディスク４０５、光ディスク４０７などの記憶装置に記憶されている。
【００７１】
ここで、特定圃場Ｆとして、圃場Ｆ１〜Ｆｍの中から圃場Ｆ２が検索された場合を想定する。この場合、抽出部７０３は、害虫リスト１１００の中から、圃場Ｆ２で栽培されている作物「水稲」特有の害虫の害虫名「ニカメイガ」、「イチモンジセセリ」および「トビイロウンカ」を抽出する。抽出された抽出結果は、例えば、記憶装置内の項目リストＬＴに登録される。
【００７２】
図１２は、項目リストの記憶内容の一例を示す説明図（その４）である。図１２において、項目リストＬＴは、項目データ１２００−１〜１２００−３を記憶している。ここで、項目データ１２００−１は、項目Ｃ１の項目内容「ニカメイガ」を示している。項目データ１２００−２は、項目Ｃ２の項目内容「イチモンジセセリ」を示している。
【００７３】
項目データ１２００−３は、項目Ｃ３の項目内容「トビイロウンカ」を示している。すなわち、各項目Ｃ１，Ｃ２，Ｃ３の項目内容は、携帯装置１０１の近傍に存在する圃場Ｆ２で栽培されている作物特有の害虫（ニカメイガ、イチモンジセセリ、トビイロウンカ）を示している。
【００７４】
送信部７０４は、特定圃場Ｆを撮影する農作業に従事する者の撮影意図を表す情報の候補として、特定圃場Ｆで栽培されている作物特有の害虫を特徴付ける情報を携帯装置１０１に送信する機能を有する。具体的には、例えば、送信部７０４が、図１２に示した項目リストＬＴを携帯装置１０１に送信する。これにより、携帯装置１０１の近傍に存在する特定圃場Ｆで栽培されている作物特有の害虫名を、撮影意図を表す情報の候補として携帯装置１０１に提供することができる。
【００７５】
また、抽出部７０３は、作物と該作物に有害な作用を及ぼす作物特有の病気とを関連付けて記憶する病気リストの中から、特定圃場Ｆで栽培されている作物特有の病気を特徴付ける情報を抽出する機能を有する。ここで、作物として「水稲」を例に挙げて、病気リストの記憶内容について説明する。
【００７６】
図１３は、病気リストの記憶内容の一例を示す説明図である。図１３において、病気リスト１３００は、病名および生育ステージのフィールドを有し、各フィールドに情報を設定することで、病気データ（例えば、病気データ１３００−１〜１３００−４）をレコードとして記憶している。
【００７７】
病名は、作物（ここでは、水稲）に有害な作用を及ぼす作物特有の病気の名称である。生育ステージは、病気の発生時期を示す作物の生育段階である。「水稲」の生育ステージは、例えば、「育苗期→出穂期→乳熟期→黄熱期→成熟期→収穫期」である。
【００７８】
病名データ１３００−１を例に挙げると、作物「水稲」に有害な作用を及ぼす作物特有の病名「いもち病」と、「いもち病」の発生時期を示す生育ステージ「ＡＬＬ」が示されている。なお、「ＡＬＬ」は、すべての生育ステージで発生する可能性があることを示している。
【００７９】
また、病名データ１３００−４を例に挙げると、作物「水稲」に有害な作用を及ぼす作物特有の病名「斑点米カメムシ」と、「斑点米カメムシ」の発生時期を示す生育ステージ「出穂期〜成熟期」が示されている。病気リスト１３００は、例えば、図４に示した情報提供装置２０１のＲＡＭ４０３、磁気ディスク４０５、光ディスク４０７などの記憶装置に記憶されている。
【００８０】
ここで、特定圃場Ｆとして、圃場Ｆ１〜Ｆｍの中から圃場Ｆ４が検索された場合を想定する。ここで、圃場Ｆ４で栽培されている作物は「水稲」であり、生育ステージは「育苗期」である。この場合、抽出部７０３は、病気リスト１３００の中から、生育ステージ「育苗期」に対応する病名「いもち病」および「苗立枯細菌病」を抽出する。抽出された抽出結果は、例えば、記憶装置内の項目リストＬＴに登録される。
【００８１】
図１４は、項目リストの記憶内容の一例を示す説明図（その５）である。図１４において、項目リストＬＴは、項目データ１４００−１，１４００−２を記憶している。ここで、項目データ１４００−１は、項目Ｃ１の項目内容「いもち病」を示している。項目データ１４００−２は、項目Ｃ２の項目内容「苗立枯細菌病」を示している。すなわち、各項目Ｃ１，Ｃ２の項目内容は、携帯装置１０１の近傍に存在する圃場Ｆ４で栽培されている作物特有の病名（いもち病、苗立枯細菌病）を示している。
【００８２】
送信部７０４は、特定圃場Ｆを撮影する農作業に従事する者の撮影意図を表す情報の候補として、特定圃場Ｆで栽培されている作物特有の病気を特徴付ける情報を携帯装置１０１に送信する機能を有する。具体的には、例えば、送信部７０４が、図１４に示した項目リストＬＴを携帯装置１０１に送信する。これにより、携帯装置１０１の近傍に存在する特定圃場Ｆで栽培されている作物特有の病名を、撮影意図を表す情報の候補として携帯装置１０１に提供することができる。
【００８３】
また、受信部７０１は、携帯装置１０１を使用している作業者Ｗの作業者ＩＤを携帯装置１０１から受信することにしてもよい。ここで、作業者ＩＤとは、携帯装置１０１を使用している作業者Ｗを一意に特定する情報である。
【００８４】
また、抽出部７０３は、作業予定テーブルの中から、受信された作業者ＩＤから特定される作業者Ｗが行う農作業の作業内容を特徴付ける情報を抽出することにしてもよい。作業予定テーブルとは、各々の作業者Ｗの作業者ＩＤと、各々の作業者によって行われる予定の農作業の作業内容とを関連付けて記憶する情報である。ここで、作業予定テーブルについて説明する。作業予定テーブルは、例えば、ＲＡＭ４０３、磁気ディスク４０５、光ディスク４０７などの記憶装置に記憶されている。
【００８５】
図１５は、作業予定テーブルの記憶内容の一例を示す説明図である。図１５において、作業予定テーブル１５００は、各作業者Ｗの作業予定リスト（例えば、作業予定リスト１５００−１，１５００−２）を記憶している。作業者ＩＤは、作業者Ｗを一意に特定する情報である。作業予定日は、作業者Ｗによって農作業が行われる予定日である。作業内容は、作業者Ｗによって行われる予定の農作業の作業内容である。
【００８６】
まず、抽出部７０３は、作業予定テーブル１５００の中から、受信された作業者ＩＤに対応する作業予定リストを特定する。ここで、作業者ＩＤ「Ｕ１」が受信された場合を想定する。この場合、抽出部７０３が、作業予定テーブル１５００の中から、作業者ＩＤ「Ｕ１」に対応する作業予定リスト１５００−１を特定する。
【００８７】
そして、抽出部７０３が、特定した作業予定リスト１５００−１の中から、作業者ＩＤが受信された日（または、日時）に、作業者Ｗが行う予定の農作業の作業内容を抽出する。ここで、作業者ＩＤ「Ｕ１」が受信された日を「２０１０／１０／０７」とする。この場合、抽出部７０３が、作業予定リスト１５００−１の中から、作業予定日「２０１０／１０／０７」に作業者Ｕ１が行う農作業の作業内容「葉切り」、「見回り」および「耕運」を抽出する。これにより、作業者Ｗが行う予定の農作業の作業内容を特定することができる。
【００８８】
なお、農作業に従事する者の撮影意図を表す情報の候補として、例えば、受信した日の気象情報（気温、湿度、降雨量）から特定される障害例（例えば、霜、高温障害など）を用いることにしてもよい。また、特定圃場Ｆの土壌不良や作物の生育不良の状態を示すコメント文（例えば、発芽率が悪い、草丈が短いなど）を用いることにしてもよい。
【００８９】
（携帯装置１０１の機能的構成例）
つぎに、実施の形態２にかかる携帯装置１０１の機能的構成例について説明する。図１６は、実施の形態２にかかる携帯装置の機能的構成を示すブロック図である。図１６において、携帯装置１０１は、取得部１６０１と、通信部１６０２と、設定部１６０３と、表示制御部１６０４と、検出部１６０５と、指示部１６０６と、関連付け部１６０７と、出力部１６０８と、を含む構成である。この制御部となる機能（取得部１６０１〜出力部１６０８）は、具体的には、例えば、図３に示したメモリ３０２に記憶されたプログラムをＣＰＵ３０１に実行させることにより、または、Ｉ／Ｆ３０４により、その機能を実現する。各機能部の処理結果は、例えば、メモリ３０２に記憶される。
【００９０】
取得部１６０１は、自装置の位置情報を取得する機能を有する。具体的には、例えば、取得部１６０１が自装置に搭載されたＧＰＳ（Ｇｌｏｂａｌ  Ｐｏｓｉｔｉｏｎｉｎｇ  Ｓｙｓｔｅｍ）により、自装置の位置情報を取得する。この際、携帯装置１０１は、ＤＧＰＳ（Ｄｉｆｆｅｒｅｎｔｉａｌ  ＧＰＳ）により、ＧＰＳにより取得した位置情報を補正することにしてもよい。
【００９１】
また、取得部１６０１が、各地に点在する無線基地局のうち通信中の基地局から該基地局の位置情報を受信して、自装置の位置情報として取得することにしてもよい。取得部１６０１による位置情報の取得処理は、例えば、一定時間間隔（例えば、２分間隔）で行われてもよく、また、カメラ３０３の起動時に行われてもよい。
【００９２】
通信部１６０２は、取得された自装置の位置情報を情報提供装置２０１に送信する機能を有する。通信部１６０２による位置情報の送信処理は、例えば、一定時間間隔（例えば、２分間隔）で行われてもよく、また、カメラ３０３の起動時に行われてもよい。また、通信部１６０２は、自装置を使用している作業者Ｗの作業者ＩＤを情報提供装置２０１に送信する機能を有する。
【００９３】
また、通信部１６０２は、自装置の位置情報（または、作業者Ｗの作業者ＩＤ）を送信した結果、情報提供装置２０１から項目データを受信する機能を有する。ここで、項目データとは、農作業に従事する者の撮影意図を表す情報である。具体的には、例えば、通信部１６０２が、情報提供装置２０１から項目リストＬＴ（例えば、図８〜図１０，図１２，図１４参照）を受信する。
【００９４】
設定部１６０３は、農作業に従事する者の撮影意図を表す項目の項目内容を設定する機能を有する。具体的には、例えば、設定部１６０３が、受信された項目リストＬＴに基づいて、農作業に従事する者の撮影意図を表す項目の項目内容を設定する。
【００９５】
ここで、図８に示した項目リストＬＴを例に挙げると、設定部１６０３が、項目Ｃ１に項目内容「圃場Ａ」を設定し、項目Ｃ２に項目内容「圃場Ｂ」を設定し、項目Ｃ３に項目内容「圃場Ｃ」を設定する。設定された設定結果は、例えば、図１７に示す設定項目テーブル１７００に記憶される。設定項目テーブル１７００は、例えば、メモリ３０２により実現される。ここで、設定項目テーブル１７００について説明する。
【００９６】
図１７は、設定項目テーブルの記憶内容の一例を示す説明図である。図１７において、設定項目テーブル１７００は、項目ＩＤおよび項目内容のフィールドを有する。各フィールドに情報を設定することで、設定項目データがレコードとして記憶される。
【００９７】
図１７の（１７−１）において、設定項目テーブル１７００内の項目ＩＤおよび項目内容の各フィールドは、情報が設定されていない未設定の状態である。ここで、上記通信部１６０２によって情報提供装置２０１から図８に示した項目リストＬＴが受信された場合を想定する。
【００９８】
図１７の（１７−２）において、項目ＩＤおよび項目内容の各フィールドに情報が設定された結果、設定項目データ１７００−１〜１７００−３がレコードとして記憶されている。ここで、設定項目データ１７００−１は、項目Ｃ１の項目内容「圃場Ａ」を示している。設定項目データ１７００−２は、項目Ｃ２の項目内容「圃場Ｂ」を示している。設定項目データ１７００−３は、項目Ｃ３の項目内容「圃場Ｃ」を示している。
【００９９】
これにより、携帯装置１０１の近傍に存在する特定圃場Ｆの圃場名を、農作業に従事する者の撮影意図を表す項目の項目内容として設定することができる。以下の説明では、農作業に従事する者の撮影意図を表す項目群を「項目群Ｃ１〜Ｃｎ」と表記し、項目群Ｃ１〜Ｃｎのうち任意の項目を「Ｃｉ」と表記する（ｉ＝１，２，…，ｎ）。
【０１００】
図１６の説明に戻り、表示制御部１６０４は、ディスプレイ１１０を制御して、項目群Ｃ１〜Ｃｎの各々の項目Ｃｉの項目内容を表示する。具体的には、例えば、カメラ３０３の起動時に、表示制御部１６０４が、図１７に示した設定項目テーブル１７００を参照して、項目Ｃ１〜Ｃ３の項目内容「圃場Ａ」、「圃場Ｂ」および「圃場Ｃ」をディスプレイ１１０（ファインダ画面）に表示する。
【０１０１】
この際、表示制御部１６０４は、ディスプレイ１１０に表示されているファインダ画面上の被写体に項目Ｃ１〜Ｃ３の項目内容を重畳表示することにしてもよい。また、項目Ｃ１〜Ｃ３の項目内容をディスプレイ１１０に表示する際のレイアウトやデザインは任意に設定可能である。なお、ディスプレイ１１０に表示される画面例については、図２１〜図２４を用いて後述する。
【０１０２】
検出部１６０５は、項目群Ｃ１〜Ｃｎのいずれかの項目Ｃｉを選択する操作入力を検出する機能を有する。項目Ｃｉを選択する操作入力は、例えば、図３に示した入力装置３０５を用いたユーザの操作入力により行われる。
【０１０３】
具体的には、例えば、検出部１６０５が、ディスプレイ１１０に表示された項目群Ｃ１〜Ｃｎの項目内容のいずれかの項目内容をユーザがタッチしたことを検出することにより、該項目内容の項目Ｃｉを選択する選択入力を検出することにしてもよい。また、検出部１６０５が、例えば、携帯装置１０１が有する複数のボタンのうち各々の項目Ｃｉが対応付けられているいずれかをユーザが押下したことを検出することにより、該ボタンに対応付けられている項目Ｃｉを選択する選択入力を検出することにしてもよい。なお、携帯装置１０１が有するボタンと各々の項目Ｃｉとの対応関係は、例えば、予め設定されてメモリ３０２に記憶されている。
【０１０４】
指示部１６０６は、項目Ｃｉを選択する操作入力が検出された場合、カメラ３０３に対して撮影指示を出力する機能を有する。カメラ３０３は、指示部１６０６からの撮影指示を受け付けると被写体を撮影する。すなわち、項目Ｃｉを選択する操作入力が、いわゆる「シャッターボタン」となってカメラ３０３による撮影が行われる。
【０１０５】
関連付け部１６０７は、撮影指示が出力された結果、カメラ３０３によって撮影された撮影画像と、選択された項目Ｃｉとを関連付ける機能を有する。具体的には、例えば、関連付け部１６０７が、カメラ３０３の撮影画像と、選択された項目Ｃｉの項目内容とを関連付けることにしてもよい。
【０１０６】
関連付けられた関連付け結果は、例えば、図１８に示す関連付け結果テーブル１８００に記憶される。関連付け結果テーブル１８００は、例えば、メモリ３０２により実現される。ここで、関連付け結果テーブル１８００について説明する。
【０１０７】
図１８は、関連付け結果テーブル１８００の記憶内容の一例を示す説明図である。図１８において、関連付け結果テーブル１８００は、画像ＩＤ、画像データおよび項目内容のフィールドを有する。各フィールドに情報を設定することで、関連付け結果（例えば、関連付け結果１８００−１，１８００−２）がレコードとして記憶されている。
【０１０８】
画像ＩＤは、カメラ３０３によって撮影された撮影画像の識別子である。画像データは、カメラ３０３によって撮影された撮影画像の画像データである。項目内容は、撮影画像に関連付けられている撮影意図を表す項目の項目内容である。
【０１０９】
ここで、関連付け結果１８００−１は、撮影画像Ｐ１の画像データＤ１と、撮影意図を表す項目の項目内容「圃場Ａ」との関連付けを示している。また、関連付け結果１８００−２は、撮影画像Ｐ２の画像データＤ２と、撮影意図を表す項目の項目内容「ニカメイガ」との関連付けを示している。
【０１１０】
図１６の説明に戻り、出力部１６０８は、関連付けられた関連付け結果を出力する機能を有する。具体的には、例えば、出力部１６０８が、図１８に示した関連付け結果テーブル１８００を参照して、関連付けられた撮影画像と項目Ｃｉの項目内容とをディスプレイ１１０に表示することにしてもよい。なお、撮影画像には、携帯装置１０１を使用している作業者Ｗの名前や撮影時刻が付与されていてもよい。
【０１１１】
出力形式としては、例えば、ディスプレイ１１０への表示のほか、プリンタ４１３への印刷出力、Ｉ／Ｆ４０９による外部装置（例えば、情報提供装置２０１）への送信がある。また、ＲＡＭ４０３、磁気ディスク４０５、光ディスク４０７などの記憶装置に記憶することとしてもよい。
【０１１２】
なお、上述した説明では、設定部１６０３が、受信された項目リストＬＴに基づいて、農作業に従事する者の撮影意図を表す項目Ｃｉの項目内容を設定することにしたが、これに限らない。例えば、撮影意図を表す項目Ｃｉの項目内容は、予め設定されて設定項目テーブル１７００に記憶されていてもよい。
【０１１３】
（情報提供装置２０１の情報提供処理手順）
つぎに、実施の形態２にかかる情報提供装置２０１の情報提供処理手順について説明する。図１９は、実施の形態２にかかる情報提供装置の情報提供処理手順の一例を示すフローチャートである。図１９のフローチャートにおいて、まず、受信部７０１により、作業者Ｗが使用している携帯装置１０１から、携帯装置１０１の位置情報を受信したか否かを判断する（ステップＳ１９０１）。
【０１１４】
ここで、受信部７０１により、携帯装置１０１の位置情報を受信するのを待つ（ステップＳ１９０１：Ｎｏ）。そして、携帯装置１０１の位置情報が受信された場合（ステップＳ１９０１：Ｙｅｓ）、検索部７０２により、圃場Ｆ１〜Ｆｍの圃場位置Ｌ１〜Ｌｍと携帯装置１０１の位置情報に基づいて、圃場Ｆ１〜Ｆｍの中から特定圃場Ｆを検索する（ステップＳ１９０２）。
【０１１５】
つぎに、抽出部７０３により、圃場ＤＢ２２０の中から、検索された特定圃場Ｆを特徴付ける情報を抽出して（ステップＳ１９０３）、特定圃場Ｆを特徴付ける情報を項目リストＬＴに登録する（ステップＳ１９０４）。そして、送信部７０４により、項目リストＬＴを携帯装置１０１に送信して（ステップＳ１９０５）、本フローチャートによる一連の処理を終了する。
【０１１６】
これにより、携帯装置１０１の近傍に存在する特定圃場Ｆを特徴付ける情報を、撮影意図を表す情報として携帯装置１０１に提供することができる。
【０１１７】
（携帯装置１０１の作業支援処理手順）
つぎに、実施の形態２にかかる携帯装置１０１の作業支援処理手順について説明する。図２０は、実施の形態２にかかる携帯装置の作業支援処理手順の一例を示すフローチャートである。
【０１１８】
図２０のフローチャートにおいて、まず、携帯装置１０１により、カメラ３０３の起動指示を受け付けたか否かを判断する（ステップＳ２００１）。なお、カメラ３０３の起動指示は、例えば、図３に示した入力装置３０５を用いたユーザの操作入力により行われる。
【０１１９】
ここで、携帯装置１０１により、カメラ３０３の起動指示を受け付けるのを待って（ステップＳ２００１：Ｎｏ）、起動指示を受け付けた場合（ステップＳ２００１：Ｙｅｓ）、取得部１６０１により、自装置の位置情報を取得する（ステップＳ２００２）。
【０１２０】
つぎに、通信部１６０２により、取得された自装置の位置情報を情報提供装置２０１に送信する（ステップＳ２００３）。そして、通信部１６０２により、情報提供装置２０１から項目リストＬＴを受信したか否かを判断する（ステップＳ２００４）。
【０１２１】
ここで、通信部１６０２により、項目リストＬＴを受信するのを待つ（ステップＳ２００４：Ｎｏ）。そして、項目リストＬＴが受信された場合（ステップＳ２００４：Ｙｅｓ）、設定部１６０３により、項目リストＬＴに基づいて、項目群Ｃ１〜Ｃｎの各々の項目Ｃｉの項目内容を設定する（ステップＳ２００５）。なお、設定された設定結果は、図１７に示した設定項目テーブル１７００に記憶される。
【０１２２】
つぎに、表示制御部１６０４により、設定項目テーブル１７００を参照して、項目群Ｃ１〜Ｃｎの各々の項目Ｃｉの項目内容をディスプレイ１１０に表示する（ステップＳ２００６）。そして、検出部１６０５により、項目群Ｃ１〜Ｃｎのいずれかの項目Ｃｉを選択する操作入力を検出したか否かを判断する（ステップＳ２００７）。
【０１２３】
ここで、検出部１６０５により、項目Ｃｉを選択する操作入力を検出するのを待って（ステップＳ２００７：Ｎｏ）、操作入力を検出した場合（ステップＳ２００７：Ｙｅｓ）、指示部１６０６により、カメラ３０３に対して撮影指示を出力する（ステップＳ２００８）。
【０１２４】
つぎに、関連付け部１６０７により、カメラ３０３により撮影された撮影画像と、選択された項目Ｃｉの項目内容とを関連付ける（ステップＳ２００９）。そして、出力部１６０８により、関連付けられた関連付け結果を出力して（ステップＳ２０１０）、本フローチャートによる一連の処理を終了する。
【０１２５】
これにより、カメラ３０３により撮影された撮影画像と、撮影意図を表す項目Ｃｉの項目内容とを関連付けて出力することができる。
【０１２６】
（携帯装置１０１のディスプレイ１１０の画面例）
つぎに、携帯装置１０１のディスプレイ１１０の画面例について説明する。ここでは、まず、上記通信部１６０２によって情報提供装置２０１から図８に示した項目リストＬＴを受信した場合を例に挙げて説明する。
【０１２７】
図２１は、実施の形態２にかかる携帯装置のディスプレイの画面例を示す説明図（その１）である。図２１の（２１−１）において、携帯装置１０１のディスプレイ１１０には、被写体とともに項目Ｃ１〜Ｃ３の項目内容「圃場Ａ」、「圃場Ｂ」および「圃場Ｃ」が表示されている。
【０１２８】
ここで、「圃場Ａ」、「圃場Ｂ」および「圃場Ｃ」は、携帯装置１０１の近傍に存在する特定圃場Ｆの圃場名である。すなわち、「圃場Ａ」、「圃場Ｂ」および「圃場Ｃ」は、携帯装置１０１の作業者Ｗによる撮影の動機付けとなり得る対象物（圃場）を候補として示しているといえる。
【０１２９】
ここでは、ディスプレイ１１０に映っている圃場の圃場名は「圃場Ａ」であり、携帯装置１０１の作業者Ｗが圃場の見回り報告を行うために圃場を撮影する場合を想定する。この場合、この作業者Ｗの撮影意図を表す項目は、被写体となる圃場の圃場名「圃場Ａ」を表す項目Ｃ１となる。
【０１３０】
図２１の（２１−２）において、項目Ｃ１を選択する操作入力が検出された結果、カメラ３０３により撮影画像Ｐ１が撮影されている。すなわち、携帯装置１０１を使用している作業者Ｗの撮影意図を表す項目Ｃ１が選択された結果、カメラ３０３により撮影画像Ｐ１が撮影されている。
【０１３１】
図２１の（２１−３）において、ディスプレイ１１０には、カメラ３０３により撮影された撮影画像Ｐ１と、携帯装置１０１を使用している作業者Ｗの撮影意図を表す項目Ｃ１の項目内容「圃場Ａ」とが関連付けて表示されている。
【０１３２】
このように、携帯装置１０１によれば、撮影の動機付けとなり得る圃場の圃場名「圃場Ａ，Ｂ，Ｃ」の中から、撮影の目的に応じた圃場名「圃場Ａ」を作業者Ｗが選択することで、撮影画像Ｐ１と作業者Ｗの撮影意図とを関連付けて出力することができる。
【０１３３】
つぎに、上記通信部１６０２によって情報提供装置２０１から図１０に示した項目リストＬＴを受信した場合を例に挙げて説明する。
【０１３４】
図２２は、実施の形態２にかかる携帯装置のディスプレイの画面例を示す説明図（その２）である。図２２の（２２−１）において、携帯装置１０１のディスプレイ１１０には、被写体とともに項目Ｃ１，Ｃ２の項目内容「収穫」および「耕運」が表示されている。
【０１３５】
ここで、「収穫」および「耕運」は、携帯装置１０１の近傍に存在する特定圃場Ｆで行われる農作業の作業内容である。すなわち、「収穫」および「耕運」は、携帯装置１０１の作業者Ｗによる撮影の動機付けとなり得る事象（農作業）を候補として示しているといえる。
【０１３６】
ここでは、携帯装置１０１の作業者Ｗが耕運作業の実施報告を行うために圃場を撮影する場合を想定する。この場合、この作業者Ｗの撮影意図を表す項目は、農作業の作業内容「耕運」を表す項目Ｃ２となる。
【０１３７】
図２２の（２２−２）において、項目Ｃ２を選択する操作入力が検出された結果、カメラ３０３により撮影画像Ｐ２が撮影されている。すなわち、携帯装置１０１を使用している作業者Ｗの撮影意図を表す項目Ｃ２が選択された結果、カメラ３０３により撮影画像Ｐ２が撮影されている。
【０１３８】
図２２の（２２−３）において、ディスプレイ１１０には、カメラ３０３により撮影された撮影画像Ｐ２と、携帯装置１０１を使用している作業者Ｗの撮影意図を表す項目Ｃ２の項目内容「耕運」とが関連付けて表示されている。
【０１３９】
このように、携帯装置１０１によれば、撮影の動機付けとなり得る農作業の作業内容「収穫、耕運」の中から、撮影の目的に応じた作業内容「耕運」を作業者Ｗが選択することで、撮影画像Ｐ２と作業者Ｗの撮影意図とを関連付けて出力することができる。
【０１４０】
つぎに、上記通信部１６０２によって情報提供装置２０１から図１２に示した項目リストＬＴを受信した場合を例に挙げて説明する。
【０１４１】
図２３は、実施の形態２にかかる携帯装置のディスプレイの画面例を示す説明図（その３）である。図２３の（２３−１）において、携帯装置１０１のディスプレイ１１０には、被写体とともに項目Ｃ１〜Ｃ３の項目内容「ニカメイガ」、「イチモンジセセリ」および「トビイロウンカ」が表示されている。
【０１４２】
ここで、「ニカメイガ」、「イチモンジセセリ」および「トビイロウンカ」は、携帯装置１０１の近傍に存在する特定圃場Ｆで栽培されている作物特有の害虫名である。すなわち、「ニカメイガ」、「イチモンジセセリ」および「トビイロウンカ」は、携帯装置１０１の作業者Ｗによる撮影の動機付けとなり得る事象（害虫発生）を候補として示しているといえる。
【０１４３】
ここでは、携帯装置１０１の作業者Ｗが水稲に付着しているニカメイガ（の幼虫）の発生報告を行うために圃場を撮影する場合を想定する。この場合、この作業者Ｗの撮影意図を表す項目は、害虫名「ニカメイガ」を表す項目Ｃ１となる。
【０１４４】
図２３の（２３−２）において、項目Ｃ１を選択する操作入力が検出された結果、カメラ３０３により撮影画像Ｐ３が撮影されている。すなわち、携帯装置１０１を使用している作業者Ｗの撮影意図を表す項目Ｃ１が選択された結果、カメラ３０３により撮影画像Ｐ３が撮影されている。
【０１４５】
図２３の（２３−３）において、ディスプレイ１１０には、カメラ３０３により撮影された撮影画像Ｐ３と、携帯装置１０１を使用している作業者Ｗの撮影意図を表す項目Ｃ１の項目内容「ニカメイガ」とが関連付けて表示されている。
【０１４６】
このように、携帯装置１０１によれば、撮影の動機付けとなり得る害虫の害虫名「ニカメイガ、イチモンジセセリ、トビイロウンカ」の中から、撮影の目的に応じた害虫名「ニカメイガ」を作業者Ｗが選択することで、撮影画像Ｐ３と作業者Ｗの撮影意図とを関連付けて出力することができる。
【０１４７】
図２１〜２３においては、ディスプレイ１１０上にソフトキーとして、選択肢（項目Ｃｉの項目内容）が出力される例を示したが、本実施例の出力の仕方はこれに限るものではない。例えば、図２１と同様の選択肢を出力する際の変形例として図２４が挙げられる。
【０１４８】
図２４は、実施の形態２にかかる携帯装置のディスプレイの画面例を示す説明図（その４）である。図２４においては、各々の項目Ｃｉが携帯装置１０１が有する複数のボタンのいずれと対応するかを、検出部１６０５が予め記憶している。そして、各々の項目Ｃｉが対応付けられているボタンのいずれかのボタンをユーザが押下したことを検出することにより、該ボタンに対応付けられている項目Ｃｉを選択する選択入力を検出する例を示している。
【０１４９】
図２４の（２４−１）において、例えば、項目Ｃ１が携帯装置１０１のボタン「１」に、項目Ｃ２がボタン「２」に、項目Ｃ３がボタン「３」にそれぞれ対応付けられているとする。
【０１５０】
図２４の（２４−２）において、項目Ｃ１を選択する操作入力、すなわちボタン「１」の押下が検出された結果、カメラ３０３により撮影画像Ｐ１が撮影されている。すなわち、携帯装置１０１を使用している作業者Ｗの撮影意図を表す項目Ｃ１が選択された結果、カメラ３０３により撮影画像Ｐ１が撮影されている。
【０１５１】
図２４の（２４−３）において、ディスプレイ１１０には、カメラ３０３により撮影された撮影画像Ｐ１と、携帯装置１０１を使用している作業者Ｗの撮影意図を表す項目Ｃ１の項目内容「圃場Ａ」とが関連付けて表示されている。
【０１５２】
（情報提供装置２０１のディスプレイ４０８の画面例）
つぎに、情報提供装置２０１のディスプレイ４０８の画面例について説明する。ここでは、情報提供装置２０１において、複数の携帯装置１０１から収集した撮影画像Ｐ１〜Ｐ３をディスプレイ４０８に一括表示する場合の画面例について説明する。
【０１５３】
図２５は、実施の形態２にかかる情報提供装置のディスプレイの画面例を示す説明図である。図２５において、ディスプレイ４０８には、携帯装置１０１により撮影された撮影画像Ｐ１〜Ｐ３に関する表示データＨ１〜Ｈ３を含む見回り結果一覧画面２５００が表示されている。
【０１５４】
表示データＨ１において、撮影画像Ｐ１には、作業者Ａの撮影意図を表す項目の項目内容「圃場Ａ」が表示されている。また、表示データＨ２において、撮影画像Ｐ２には、作業者Ｂの撮影意図を表す項目の項目内容「耕運」が表示されている。また、表示データＨ３において、撮影画像Ｐ３には、作業者Ｃの撮影意図を表す項目の項目内容「ニカメイガ」が表示されている。
【０１５５】
見回り結果一覧画面２５００によれば、各撮影画像Ｐ１〜Ｐ３とともに各作業者Ａ〜Ｃの撮影意図を表す項目の項目内容が表示されるため、閲覧者が、各撮影画像Ｐ１〜Ｐ３を撮影した作業者Ａ〜Ｃの撮影意図を判断し易くなる。この結果、圃場の状況、作物の生育状況、病害虫の発生状況などを迅速に把握することが可能となる。
【０１５６】
例えば、閲覧者が、撮影画像Ｐ３とともに表示されている害虫名「ニカメイガ」を確認することで、圃場における害虫の発生を把握することができる。また、害虫名「ニカメイガ」から害虫の駆除に必要となる農薬（例えば、ランナーフロアブル、ロムダンゾル）を特定することが可能となり、迅速かつ適切な対応策を講じることができる。
【０１５７】
なお、上述した説明では、携帯装置１０１は、情報提供装置２０１から得られる項目リストＬＴを参照して、撮影意図を表す項目Ｃｉの項目内容を設定することにしたが、これに限らない。例えば、携帯装置１０１が、農作業に従事する者の撮影意図を表す情報の候補を特定して、項目Ｃｉの項目内容に設定することにしてもよい。すなわち、携帯装置１０１が、圃場ＤＢ２２０を備え、情報提供装置２０１の検索部７０２および抽出部７０３に相当する機能部を含む構成であってもよい。
【０１５８】
以上説明したように、実施の形態２にかかる携帯装置１０１、情報提供装置２０１によれば、携帯装置１０１の近傍に存在する特定圃場Ｆの圃場名を、農作業に従事する者の撮影意図を表す項目の項目内容として設定することができる。これにより、撮影画像と、撮影の動機付けとなり得る対象物（圃場）との関連付けを容易に行うことができる。
【０１５９】
また、実施の形態２にかかる携帯装置１０１、情報提供装置２０１によれば、携帯装置１０１の近傍に存在する特定圃場Ｆで栽培されている作物の品目を、農作業に従事する者の撮影意図を表す項目の項目内容として設定することができる。これにより、撮影画像と、撮影の動機付けとなり得る対象物（作物）との関連付けを容易に行うことができる。
【０１６０】
また、実施の形態２にかかる携帯装置１０１、情報提供装置２０１によれば、携帯装置１０１の近傍に存在する特定圃場Ｆで行われる予定の農作業の作業内容を、農作業に従事する者の撮影意図を表す項目の項目内容として設定することができる。これにより、撮影画像と、撮影の動機付けとなり得る事象（農作業）との関連付けを容易に行うことができる。
【０１６１】
また、実施の形態２にかかる携帯装置１０１、情報提供装置２０１によれば、携帯装置１０１の近傍に存在する特定圃場Ｆで栽培されている作物特有の害虫名を、農作業に従事する者の撮影意図を表す項目の項目内容として設定することができる。これにより、撮影画像と、撮影の動機付けとなり得る事象（害虫発生）との関連付けを容易に行うことができる。
【０１６２】
また、実施の形態２にかかる携帯装置１０１、情報提供装置２０１によれば、携帯装置１０１の近傍に存在する特定圃場Ｆで栽培されている作物特有の病名を、農作業に従事する者の撮影意図を表す項目の項目内容として設定することができる。これにより、撮影画像と、撮影の動機付けとなり得る事象（病気発生）との関連付けを容易に行うことができる。
【０１６３】
（実施の形態３）
実施の形態３では、携帯装置１０１を使用している作業者Ｗの撮影意図を表す項目を、対話形式で絞り込む場合について説明する。以下、実施の形態３にかかる携帯装置１０１の各機能部の具体的な処理内容について説明する。なお、実施の形態１，２で説明した箇所と同一箇所についての説明は省略する。
【０１６４】
まず、農作業に従事する者の撮影意図を表す項目群Ｃ１〜Ｃｎの各々の項目Ｃｉをノードとして階層構造化された木構造について説明する。この階層構造化された木構造に関する情報は、例えば、図３に示した携帯装置１０１のメモリ３０２に記憶されている。
【０１６５】
図２６は、木構造の一例を示す説明図である。図２６において、木構造２６００は、農作業に従事する者の撮影意図を表す各項目Ｃ１〜Ｃｎを表すノードＮ１〜Ｎｎを含む。図２６中、「ｈ」は、木構造２６００の階層を表している。なお、図面では、木構造２６００の一部を抜粋して表示している。
【０１６６】
ここで、ノードＮ０は、いずれの項目も表していない根ノードである。根ノードとは、親ノードを持たないノードである。ノードＮ１〜Ｎ３は、ノードＮ０の子ノードであり、項目Ｃ１〜Ｃ３を表している。ノードＮ４〜Ｎ６は、ノードＮ１の子ノードであり、項目Ｃ４〜Ｃ６を表している。ノードＮ７〜Ｎ９は、ノードＮ４の子ノードであり、項目Ｃ７〜Ｃ９を表している。
【０１６７】
木構造２６００に含まれる各ノードＮｉが表す項目Ｃｉの項目内容は、予め任意に設定されている（ｉ＝１，２，…，ｎ）。例えば、木構造２６００において、子ノードが表す項目の項目内容は、親ノードが表す項目の項目内容を詳細化したものが設定される。具体的には、例えば、ノードＮ１が表す項目Ｃ１の項目内容が「病害虫」であった場合、ノードＮ１の子ノードＮ４〜Ｎ６が表す項目Ｃ４〜Ｃ６の項目内容は、病害虫の具体的な名称（病名、害虫名）となる。
【０１６８】
表示制御部１６０４は、木構造２６００のいずれかの階層ｈ（ただし、ｈ≠０）に属する各々のノードが表す項目の項目内容をディスプレイ１１０に表示する。具体的には、例えば、まず、表示制御部１６０４が、木構造２６００の階層１に属するノードＮ１〜Ｎ３が表す項目Ｃ１〜Ｃ３の項目内容をディスプレイ１１０に表示する。
【０１６９】
検出部１６０５は、ディスプレイ１１０に表示された階層ｈに属する各々のノードが表す項目のいずれかの項目Ｃｉを選択する操作入力を検出する。具体的には、例えば、検出部１６０５が、ディスプレイ１１０に表示された階層１に属するノードＮ１〜Ｎ３が表す項目Ｃ１〜Ｃ３のいずれかの項目Ｃｉを選択する操作入力を検出する。
【０１７０】
また、表示制御部１６０４は、いずれかの項目Ｃｉを選択する操作入力が検出された場合、項目Ｃｉを表すノードＮｉの子ノードが表す項目の項目内容をディスプレイ１１０に表示する。具体的には、例えば、項目Ｃ１を選択する操作入力が検出された場合、表示制御部１６０４が、項目Ｃ１を表すノードＮ１の子ノードＮ４〜Ｎ５が表す項目Ｃ４〜Ｃ５の項目内容をディスプレイ１１０に表示する。
【０１７１】
指示部１６０６は、木構造２６００の葉ノードが表す項目を選択する操作入力が検出された場合、カメラ３０３に対して撮影指示を出力する。ここで、葉ノードとは、子ノードを持たないノードである。例えば、ノードＮ７を葉ノードとすると、ノードＮ７が表す項目Ｃ７を選択する操作入力が検出された場合、指示部１６０６が、カメラ３０３に対して撮影指示を出力する。
【０１７２】
このように、項目群Ｃ１〜Ｃｎを階層構造化することにより、ディスプレイ１１０に一度に表示する項目の項目内容を制限することができる。また、作業者Ｗによる項目Ｃｉを選択する操作入力が行われるごとに、ディスプレイ１１０に表示する項目の項目内容を詳細化していくことにより、作業者Ｗの撮影意図を絞り込むことができる。
【０１７３】
（携帯装置１０１の作業支援処理手順）
つぎに、実施の形態３にかかる携帯装置１０１の作業支援処理手順について説明する。図２７は、実施の形態３にかかる携帯装置の作業支援処理手順の一例を示すフローチャートである。
【０１７４】
図２７のフローチャートにおいて、まず、携帯装置１０１により、カメラ３０３の起動指示を受け付けたか否かを判断する（ステップＳ２７０１）。ここで、携帯装置１０１により、カメラ３０３の起動指示を受け付けるのを待つ（ステップＳ２７０１：Ｎｏ）。
【０１７５】
そして、カメラ３０３の起動指示が受け付けられた場合（ステップＳ２７０１：Ｙｅｓ）、表示制御部１６０４により、木構造２６００の階層ｈの「ｈ」を「ｈ＝１」とする（ステップＳ２７０２）。つぎに、表示制御部１６０４により、木構造２６００の階層ｈに属する各々のノードが表す項目の項目内容をディスプレイ１１０に表示する（ステップＳ２７０３）。
【０１７６】
このあと、検出部１６０５により、ディスプレイ１１０に表示された階層ｈに属する各々のノードが表す項目のいずれかの項目Ｃｉを選択する操作入力を検出したか否かを判断する（ステップＳ２７０４）。ここで、検出部１６０５により、項目Ｃｉを選択する操作入力を検出するのを待って（ステップＳ２７０４：Ｎｏ）、操作入力を検出した場合（ステップＳ２７０４：Ｙｅｓ）、項目Ｃｉを表すノードＮｉが葉ノードか否かを判断する（ステップＳ２７０５）。
【０１７７】
ここで、項目Ｃｉを表すノードＮｉが葉ノードではない場合（ステップＳ２７０５：Ｎｏ）、表示制御部１６０４により、木構造２６００の階層ｈの「ｈ」をインクリメントして（ステップＳ２７０６）、ステップＳ２７０３に戻る。一方、項目Ｃｉを表すノードＮｉが葉ノードである場合（ステップＳ２７０５：Ｙｅｓ）、指示部１６０６により、カメラ３０３に対して撮影指示を出力する（ステップＳ２７０７）。
【０１７８】
つぎに、関連付け部１６０７により、カメラ３０３により撮影された撮影画像と、選択された項目Ｃｉの項目内容とを関連付ける（ステップＳ２７０８）。そして、出力部１６０８により、関連付けられた関連付け結果を出力して（ステップＳ２７０９）、本フローチャートによる一連の処理を終了する。
【０１７９】
これにより、木構造２６００の階層ｈごとに、階層ｈに属する各々のノードが表す項目の項目内容をディスプレイ１１０に表示することができ、ディスプレイ１１０に一度に表示する項目の項目内容を制限することができる。
【０１８０】
（携帯装置１０１のディスプレイ１１０の画面例）
つぎに、携帯装置１０１のディスプレイ１１０の画面例について説明する。図２８〜図３０は、実施の形態３にかかる携帯装置のディスプレイの画面例を示す説明図である。
【０１８１】
図２８において、携帯装置１０１のディスプレイ１１０には、被写体とともに項目Ｃ１〜Ｃ３の項目内容「農作業」、「農作物」および「その他」が表示されている（図２８中（ｉ））。
【０１８２】
図２８において、項目Ｃ２を選択する操作入力が検出された結果（図２８中（ｉｉ））、携帯装置１０１のディスプレイ１１０には、被写体とともに項目Ｃ４〜Ｃ６の項目内容「病害虫」、「生育不良」および「鳥獣害」が表示されている（図２８中（ｉｉｉ））。すなわち、項目Ｃ２を表すノードＮ２は、葉ノードではない。
【０１８３】
図２９において、項目Ｃ５を選択する操作入力が検出された結果（図２９中（ｉｖ））、携帯装置１０１のディスプレイ１１０には、被写体とともに項目Ｃ７〜Ｃ９の項目内容「草丈が短い」、「茎数が少ない」および「稲が倒伏」が表示されている（図２９中（ｖ））。すなわち、項目Ｃ５を表すノードＮ５は、葉ノードではない。
【０１８４】
図３０において、項目Ｃ８を選択する操作入力が検出された結果、カメラ３０３により撮影画像Ｐ４が撮影されている（図３０中（ｖｉ））。すなわち、項目Ｃ８を表すノードＮ８は、葉ノードである。
【０１８５】
図３０において、ディスプレイ１１０には、カメラ３０３により撮影された撮影画像Ｐ４と、携帯装置１０１を使用している作業者Ｗの撮影意図を表す項目Ｃ８の項目内容「茎数が少ない」とが関連付けて表示されている（図３０中（ｖｉｉ））。
【０１８６】
なお、図２８の（ｉ）において、項目Ｃ３を選択する操作入力が検出された場合、カメラ３０３により撮影画像Ｐ４が撮影されることになる。すなわち、項目Ｃ３を表すノードＮ３は、葉ノードである。
【０１８７】
以上説明した、実施の形態３にかかる携帯装置１０１によれば、項目群Ｃ１〜Ｃｎを階層構造化した木構造２６００の階層ｈごとに、階層ｈに属する各々のノードが表す項目の項目内容をディスプレイ１１０に表示することができる。これにより、ディスプレイ１１０に一度に表示する項目の項目内容を制限することができる。
【０１８８】
また、実施の形態３にかかる携帯装置１０１によれば、作業者Ｗによる項目Ｃｉを選択する操作入力が行われるごとに、階層間を遷移してディスプレイ１１０に表示する項目の項目内容を切り替えることができる。また、携帯装置１０１によれば、作業者Ｗによる項目Ｃｉを選択する操作入力が行われるごとに、ディスプレイ１１０に表示する項目の項目内容を詳細化していくことができる。
【０１８９】
これらのことから、実施の形態３にかかる携帯装置１０１によれば、ディスプレイ１１０に一度に表示する項目の項目内容を制限しつつ、撮影意図となり得るより多くの選択肢を作業者Ｗに提示することができる。
【０１９０】
なお、本実施の形態で説明した作業支援方法、情報提供方法は、予め用意されたプログラムをパーソナル・コンピュータやワークステーション等のコンピュータで実行することにより実現することができる。本作業支援プログラム、情報提供プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本作業支援プログラム、情報提供プログラムは、インターネット等のネットワークを介して配布してもよい。
【符号の説明】
【０１９１】
１０１  携帯装置
２００  作業支援システム
２０１  情報提供装置
２２０  圃場ＤＢ
７０１  受信部
７０２  検索部
７０３  抽出部
７０４  送信部
１６０１  取得部
１６０２  通信部
１６０３  設定部
１６０４  表示制御部
１６０５  検出部
１６０６  指示部
１６０７  関連付け部
１６０８  出力部
【国際調査報告】
2012124066.tif 000033
2012124066.tif 000034
2012124066.tif 000035